(57)【特許請求の範囲】
【請求項１】
ユーザ機器（ＵＥ）によるワイヤレス通信のための方法であって、
ページングオケージョンに対応する１つ又は複数のサブフレームを決定することと、ここにおいて、前記ＵＥは、前記１つ又は複数のサブフレームから開始して、基地局（ＢＳ）からのバンドルページングメッセージを監視し、
前記バンドルページングメッセージを復号することを試みることと、前記バンドルページングメッセージは、バンドリングサイズに関連付けられ、
前記ＵＥが前記バンドルページングメッセージを監視する、システム帯域幅の複数の狭帯域領域のうちの少なくとも１つの狭帯域領域を決定することと、ここにおいて、前記少なくとも１つの狭帯域領域の前記決定が、前記ＢＳからのシグナリングおよび前記ＵＥの識別情報（ＩＤ）に基づく、 
前記１つ又は複数のサブフレームから開始して、前記少なくとも１つの狭帯域領域中で前記バンドリングサイズに少なくとも部分的に基づいて前記バンドルページングメッセージを監視することと
を備える、方法。
【請求項２】
前記バンドルページングメッセージを前記監視することのためのバンドリングサイズを決定することをさらに備え、前記バンドリングサイズが前記バンドルページングメッセージの受信のためのサブフレームの数に対応する、
請求項１に記載の方法。
【請求項３】
前記バンドリングサイズの前記決定が、前記決定された少なくとも１つの狭帯域領域に少なくとも部分的に基づく、請求項２に記載の方法。
【請求項４】
前記バンドリングサイズの前記決定が、前記ＢＳからのシグナリングに少なくとも部分的に基づく、請求項２に記載の方法。
【請求項５】
基地局（ＢＳ）によるワイヤレス通信のための方法であって、
ページングオケージョンに対応する１つ又は複数のサブフレームを決定することと、ここにおいて、前記ＢＳは、前記１つ又は複数のサブフレームから開始して、ユーザ機器（ＵＥ）にバンドルページングメッセージを送信し、
前記バンドルページングメッセージを前記ＵＥに送信することと、前記バンドルページングメッセージは、バンドリングサイズに関連付けられ、
前記ＢＳが前記バンドルページングメッセージを前記ＵＥに送信する、システム帯域幅の複数の狭帯域領域のうちの少なくとも１つの狭帯域領域を決定することと、ここにおいて、前記少なくとも１つの狭帯域領域の前記決定が、前記ＢＳからのシグナリングおよび前記ＵＥの識別情報（ＩＤ）に基づく、
前記１つ又は複数のサブフレームから開始して、前記少なくとも１つの狭帯域領域中で前記バンドリングサイズに少なくとも部分的に基づいて前記バンドルページングメッセージを前記ＵＥに送信することと
を備える、方法。
【請求項６】
前記バンドルページングメッセージのためのバンドリングサイズを決定することをさらに備え、前記バンドリングサイズが前記バンドルページングメッセージの送信のためのサブフレームの数に対応する、
請求項５に記載の方法。
【請求項７】
前記バンドリングサイズの前記決定が、前記決定された少なくとも１つの狭帯域領域に少なくとも部分的に基づく、請求項６に記載の方法。
【請求項８】
前記バンドリングサイズの前記決定が、前記ＢＳによって正常に復号された、前記ＵＥからのバンドルランダムアクセスチャネル（ＲＡＣＨ）送信のバンドリングサイズに少なくとも部分的に基づく、請求項６に記載の方法。
【請求項９】
ワイヤレス通信のためのユーザ機器（ＵＥ）であって、
ページングオケージョンに対応する１つ又は複数のサブフレームを決定するための手段と、ここにおいて、前記ＵＥは、前記１つ又は複数のサブフレームから開始して、基地局（ＢＳ）からのバンドルページングメッセージを監視し、
前記バンドルページングメッセージを復号することを試みるための手段と、前記バンドルページングメッセージは、バンドリングサイズに関連付けられ、
前記ＵＥが前記バンドルページングメッセージを監視する、システム帯域幅の複数の狭帯域領域のうちの少なくとも１つの狭帯域領域を決定するための手段と、ここにおいて、前記少なくとも１つの狭帯域領域の前記決定が、前記ＢＳからのシグナリングおよび前記ＵＥの識別情報（ＩＤ）に基づく、
前記１つ又は複数のサブフレームから開始して、前記少なくとも１つの狭帯域領域中で前記バンドリングサイズに少なくとも部分的に基づいて前記バンドルページングメッセージを監視するための手段と
を備える、ＵＥ。
【請求項１０】
前記バンドルページングメッセージを前記監視することのためのバンドリングサイズを決定するための手段をさらに備え、前記バンドリングサイズが前記バンドルページングメッセージの受信のためのサブフレームの数に対応する、
請求項９に記載のＵＥ。
【請求項１１】
前記バンドリングサイズの前記決定が、前記決定された少なくとも１つの狭帯域領域に少なくとも部分的に基づく、請求項１０に記載のＵＥ。
【請求項１２】
ワイヤレス通信のための基地局（ＢＳ）であって、
ページングオケージョンに対応する１つ又は複数のサブフレームを決定するための手段と、ここにおいて、前記ＢＳは、前記１つ又は複数のサブフレームから開始して、ユーザ機器（ＵＥ）にバンドルページングメッセージを送信し、
前記バンドルページングメッセージを前記ＵＥに送信するための手段と、前記バンドルページングメッセージは、バンドリングサイズに関連付けられ、
前記ＢＳが前記バンドルページングメッセージを前記ＵＥに送信する、システム帯域幅の複数の狭帯域領域のうちの少なくとも１つの狭帯域領域を決定するための手段と、ここにおいて、前記少なくとも１つの狭帯域領域の前記決定が、前記ＢＳからのシグナリングおよび前記ＵＥの識別情報（ＩＤ）に基づく、
前記１つ又は複数のサブフレームから開始して、前記少なくとも１つの狭帯域領域中で前記バンドリングサイズに少なくとも部分的に基づいて前記バンドルページングメッセージを前記ＵＥに送信するための手段と
を備える、ＢＳ。
【請求項１３】
前記バンドルページングメッセージのためのバンドリングサイズを決定するための手段をさらに備え、前記バンドリングサイズが前記バンドルページングメッセージの送信のためのサブフレームの数に対応する、
請求項１２に記載のＢＳ。
【請求項１４】
前記バンドリングサイズの前記決定が、前記決定された少なくとも１つの狭帯域領域に少なくとも部分的に基づく、請求項１３に記載のＢＳ。
【請求項１５】
請求項１〜請求項４または請求項５〜請求項８のうちの一項に記載の方法を実行するための命令を備える、コンピュータプログラム。
【発明の詳細な説明】
【技術分野】
【０００１】
関連出願の相互参照および優先権主張
[0001]本出願は、すべての適用可能な目的のためにそれらの全体が参照により本明細書に組み込まれる、２０１５年１月３０日に出願された米国仮特許出願第６２／１１０，１８１号と、２０１５年２月９日に出願された米国仮特許出願第６２／１１３，９３６号との利益と優先権とを主張する、２０１６年１月２８日に出願された米国特許出願第１５／００９，７３９号の優先権を主張する。
【０００２】
[0002]本開示のいくつかの態様は、一般にワイヤレス通信に関し、より詳細には、（１つまたは複数の）マシンタイプ通信（ＭＴＣ）デバイスおよび拡張または発展型ＭＴＣ（ｅＭＴＣ）デバイスなど、限られた通信リソースをもつデバイスのための拡張ページングプロシージャに関する。ＭＴＣという用語は、概して、限定はしないが、モノのインターネット（ＩｏＴ：Internet of Things）デバイス、すべてのモノのインターネット（ＩｏＥ：Internet of Everything）デバイス、ウェアラブルデバイスおよび低コストデバイスを含む、ワイヤレス通信における広いクラスのデバイスに適用される。
【背景技術】
【０００３】
[0003]ワイヤレス通信システムは、音声、データなど、様々なタイプの通信コンテンツを提供するために広く展開されている。これらのシステムは、利用可能なシステムリソース（たとえば、帯域幅および送信電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、ロングタームエボリューション（ＬＴＥ（登録商標）：Long Term Evolution）アドバンストシステムを含む第３世代パートナーシッププロジェクト（３ＧＰＰ（登録商標）：3rd Generation Partnership Project）ＬＴＥ、および直交周波数分割多元接続（ＯＦＤＭＡ）システムがある。
【０００４】
[0004]概して、ワイヤレス多元接続通信システムは、複数のワイヤレス端末のための通信を同時にサポートすることができる。各端末は、順方向リンクおよび逆方向リンク上での送信を介して１つまたは複数の基地局と通信する。順方向リンク（またはダウンリンク）は基地局から端末への通信リンクを指し、逆方向リンク（またはアップリンク）は端末から基地局への通信リンクを指す。この通信リンクは、単入力単出力、多入力単出力または多入力多出力（ＭＩＭＯ）システムを介して確立され得る。
【０００５】
[0005]ワイヤレス通信ネットワークは、いくつかのワイヤレスデバイスのための通信をサポートすることができるいくつかの基地局を含み得る。ワイヤレスデバイスはユーザ機器（ＵＥ）を含み得る。いくつかのＵＥは、基地局、別のリモートデバイス、または何らかの他のエンティティと通信し得る、リモートデバイスを含み得る、マシンタイプ通信（ＭＴＣ）ＵＥと見なされ得る。
【０００６】
[0006]マシンタイプ通信（ＭＴＣ）は、通信の少なくとも１つの端部上の少なくとも１つのリモートデバイスに関与する通信を指すことがあり、必ずしも人間の対話を必要とするとは限らない１つまたは複数のエンティティを伴うデータ通信の形態を含み得る。ＭＴＣ  ＵＥは、たとえば、パブリックランドモバイルネットワーク（ＰＬＭＮ）を介した、ＭＴＣサーバおよび／または他のＭＴＣデバイスとのＭＴＣ通信が可能であるＵＥを含み得る。
【発明の概要】
【０００７】
[0007]本開示のシステム、方法、およびデバイスは、それぞれいくつかの態様を有し、それらのうちの単一の態様が単独で本開示の望ましい属性を担当するとは限らない。次に、以下の特許請求の範囲によって表される本開示の範囲を限定することなしに、いくつかの特徴が手短に説明される。この説明を考察すれば、特に「発明を実施するための形態」と題するセクションを読めば、本開示の特徴が、ワイヤレスネットワークにおけるアクセスポイントと局との間の改善された通信を含む利点をどのように提供するかが理解されよう。
【０００８】
[0008]本明細書では、ＭＴＣおよびｅＭＴＣにおいてページングプロシージャを拡張するための技法および装置が提供される。ＭＴＣ／ｅＭＴＣデバイスは、センサー、メーター、モニタ、ロケーションタグ、ドローン、トラッカー、ロボット／ロボティックデバイスなどのデバイスを含む。ＭＴＣデバイスなどのいくつかのデバイスのカバレージを拡張するために、「バンドリング」が利用され得、「バンドリング」では、いくつかの送信が送信のバンドルとして送られ、たとえば、複数のサブフレーム上で同じ情報が送信される。本開示のいくつかの態様は、ページングのために使用されるリソースを決定することと、ページングのためのバンドリングサイズを決定することとに関する。
【０００９】
[0009]本開示のいくつかの態様は、ユーザ機器（ＵＥ）によるワイヤレス通信のための方法を提供する。本方法は、概して、ＵＥが基地局（ＢＳ）からページングメッセージを受信するためのページングオケージョンに対応するサブフレームのセットを決定することと、サブフレームのセット内で、ページングメッセージを受信するための少なくとも１つの狭帯域領域を決定することと、サブフレームのセット内の少なくとも１つの狭帯域領域中でページングメッセージを監視することとを含む。
【００１０】
[0010]本開示のいくつかの態様は、ワイヤレス通信のための装置を提供する。本装置は、概して、ＵＥがＢＳからページングメッセージを受信するためのページングオケージョンに対応するサブフレームのセットを決定するための手段と、サブフレームのセット内で、ページングメッセージを受信するための少なくとも１つの狭帯域領域を決定するための手段と、サブフレームのセット内の少なくとも１つの狭帯域領域中でページングメッセージを監視するための手段とを含む。
【００１１】
[0011]本開示のいくつかの態様は、ワイヤレス通信のための装置を提供する。本装置は、概して、ＵＥがＢＳからページングメッセージを受信するためのページングオケージョンに対応するサブフレームのセットを決定することと、サブフレームのセット内で、ページングメッセージを受信するための少なくとも１つの狭帯域領域を決定することと、サブフレームのセット内の少なくとも１つの狭帯域領域中でページングメッセージを監視することとを行うように構成された少なくとも１つのプロセッサを含む。本装置は、少なくとも１つのプロセッサと結合されたメモリをさらに含み得る。
【００１２】
[0012]本開示のいくつかの態様は、コンピュータ実行可能コードを記憶したコンピュータ可読媒体を提供する。コンピュータ実行可能コードは、概して、ＵＥがＢＳからページングメッセージを受信するためのページングオケージョンに対応するサブフレームのセットを決定するためのコードと、サブフレームのセット内で、ページングメッセージを受信するための少なくとも１つの狭帯域領域を決定するためのコードと、サブフレームのセット内の少なくとも１つの狭帯域領域中でページングメッセージを監視するためのコードとを含む。
【００１３】
[0013]本開示のいくつかの態様は、ＢＳによるワイヤレス通信のための方法を提供する。本方法は、概して、ページングメッセージをＵＥに送信するためのページングオケージョンに対応するサブフレームのセットを決定することと、サブフレームのセット内で、ページングメッセージをＵＥに送信するための少なくとも１つの狭帯域領域を決定することと、サブフレームのセットの少なくとも１つの狭帯域領域中でページングメッセージをＵＥに送信することとを含む。
【００１４】
[0014]本開示のいくつかの態様は、ワイヤレス通信のための装置を提供する。本装置は、概して、ページングメッセージをＵＥに送信するためのページングオケージョンに対応するサブフレームのセットを決定するための手段と、サブフレームのセット内で、ページングメッセージをＵＥに送信するための少なくとも１つの狭帯域領域を決定するための手段と、サブフレームのセットの少なくとも１つの狭帯域領域中でページングメッセージをＵＥに送信するための手段とを含む。
【００１５】
[0015]本開示のいくつかの態様は、ワイヤレス通信のための装置を提供する。本装置は、概して、ページングメッセージをＵＥに送信するためのページングオケージョンに対応するサブフレームのセットを決定することと、サブフレームのセット内で、ページングメッセージをＵＥに送信するための少なくとも１つの狭帯域領域を決定することとを行うように構成された少なくとも１つのプロセッサを含む。本装置は、サブフレームのセットの少なくとも１つの狭帯域領域中でページングメッセージをＵＥに送信するように構成された送信機をも含み得る。本装置は、少なくとも１つのプロセッサと結合されたメモリをさらに含み得る。
【００１６】
[0016]本開示のいくつかの態様は、コンピュータ実行可能コードを記憶したコンピュータ可読媒体を提供する。コンピュータ実行可能コードは、概して、ページングメッセージをＵＥに送信するためのページングオケージョンに対応するサブフレームのセットを決定するためのコードと、サブフレームのセット内で、ページングメッセージをＵＥに送信するための少なくとも１つの狭帯域領域を決定するためのコードと、サブフレームのセットの少なくとも１つの狭帯域領域中でページングメッセージをＵＥに送信するためのコードとを含む。
【００１７】
[0017]方法、装置、システム、コンピュータプログラム製品、および処理システムを含む多数の他の態様が提供される。上記および関係する目的を達成するために、１つまたは複数の態様は、以下で十分に説明され、特に特許請求の範囲で指摘される特徴を備える。以下の説明および添付の図面は、１つまたは複数の態様のいくつかの例示的な特徴を詳細に記載する。ただし、これらの特徴は、様々な態様の原理が採用され得る様々な方法のほんのいくつかを示すものであり、この説明は、すべてのそのような態様およびそれらの均等物を含むものとする。
【００１８】
[0018]本開示の上記で具陳された特徴が詳細に理解され得るように、添付の図面にその一部を示す態様を参照することによって、上記で手短に要約されたより具体的な説明が得られ得る。ただし、その説明は他の等しく有効な態様に通じ得るので、添付の図面は、本開示のいくつかの典型的な態様のみを示し、したがって、本開示の範囲を限定するものと見なされるべきではないことに留意されたい。
【図面の簡単な説明】
【００１９】
【図１】[0019]本開示のいくつかの態様による、例示的なワイヤレス通信ネットワークを概念的に示すブロック図。
【図２】[0020]本開示のいくつかの態様による、ワイヤレス通信ネットワークにおいてユーザ機器（ＵＥ）と通信している発展型ノードＢ（ｅＮＢ）の一例を概念的に示すブロック図。
【図３】[0021]本開示のいくつかの態様による、ワイヤレス通信ネットワークにおいて使用するための特定の無線アクセス技術（ＲＡＴ）のための例示的なフレーム構造を概念的に示すブロック図。
【図４】[0022]本開示のいくつかの態様による、ノーマルサイクリックプレフィックスをもつダウンリンクのための例示的なサブフレームフォーマットを示す図。
【図５】[0023]本開示のいくつかの態様による、ロングタームエボリューション（ＬＴＥ）など、広帯域システム内でのマシンタイプ通信（ＭＴＣ）共存の一例を示す図。
【図５Ａ】本開示のいくつかの態様による、ロングタームエボリューション（ＬＴＥ）など、広帯域システム内でのマシンタイプ通信（ＭＴＣ）共存の一例を示す図。
【図６】[0024]本開示のいくつかの態様による、ＵＥによる、ワイヤレス通信のための例示的な動作を示す図。
【図６Ａ】[0025]図６に記載されている動作を実行することが可能な例示的な手段を示す図。
【図７】[0026]本開示のいくつかの態様による、ＢＳによる、ワイヤレス通信のための例示的な動作を示す図。
【図７Ａ】[0027]図７に記載されている動作を実行することが可能な例示的な手段を示す図。
【図８】[0028]本開示のいくつかの態様による、互いに多重化され得る複数のデバイスからの送信の一例を示す図。
【図９】[0029]本開示のいくつかの態様による、ＢＳによってＵＥに送信されるページングメッセージのバンドリングサイズを決定するための例示的なコールフローを示す図。
【図１０】本開示のいくつかの態様による、ＢＳによってＵＥに送信されるページングメッセージのバンドリングサイズを決定するための例示的なコールフローを示す図。
【００２０】
[0030]理解を容易にするために、可能な場合、各図に共通である同じ要素を指定するために同じ参照番号が使用されている。一実施形態において開示される要素が、特定の具陳なしに他の実施形態に対して有益に利用され得ることが企図される。
【発明を実施するための形態】
【００２１】
[0031]本開示の態様は、ＭＴＣデバイス（たとえば、低コストＭＴＣデバイス、低コストｅＭＴＣデバイス）など、限られた通信リソースをもつデバイスのための拡張ページングプロシージャのための技法および装置を提供する。ＭＴＣデバイスは狭帯域ＩｏＴ（ＮＢ−ＩｏＴ）デバイスとして実装され得る。低コストＭＴＣデバイスは、特定の無線アクセス技術（ＲＡＴ）（たとえば、ロングタームエボリューション（ＬＴＥ））において他のレガシーデバイスと共存し得、特定のＲＡＴによってサポートされる利用可能なシステム帯域幅から区分される１つまたは複数の狭帯域領域上で動作し得る。低コストＭＴＣデバイスはまた、（たとえば、同じメッセージの繰り返しが複数のサブフレームにわたってバンドルまたは送信され得る）カバレージ拡張モード、（たとえば、繰り返しが送信されないことがある）通常カバレージモードなど、異なる動作モードをサポートし得る。
【００２２】
[0032]したがって、以下でより詳細に説明されるように、本明細書で提示される技法は、低コストデバイスが、利用可能なシステム帯域幅から、どの（１つまたは複数の）狭帯域領域を低コストデバイスが基地局（ＢＳ）／ネットワークから送信されたバンドルページングメッセージについて監視すべきであるかを決定することを可能にし得る。同じく以下でより詳細に説明されるように、本明細書で提示される技法は、１つまたは複数のトリガに基づくページングメッセージのためのバンドリングサイズの決定および／または適応をも可能にし得る。
【００２３】
[0033]本明細書で説明される技法は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワークなど、様々なワイヤレス通信ネットワークのために使用され得る。「ネットワーク」および「システム」という用語はしばしば互換的に使用される。ＣＤＭＡネットワークは、ユニバーサル地上波無線アクセス（ＵＴＲＡ：Universal Terrestrial Radio Access）、ｃｄｍａ２０００などの無線技術を実装し得る。ＵＴＲＡは、広帯域ＣＤＭＡ（Ｗ−ＣＤＭＡ（登録商標））、時分割同期ＣＤＭＡ（ＴＤ−ＳＣＤＭＡ）、およびＣＤＭＡの他の変形態を含む。ｃｄｍａ２０００は、ＩＳ−２０００、ＩＳ−９５およびＩＳ−８５６規格をカバーする。ＴＤＭＡネットワークは、モバイル通信用グローバルシステム（ＧＳＭ（登録商標））などの無線技術を実装し得る。ＯＦＤＭＡネットワークは、発展型ＵＴＲＡ（Ｅ−ＵＴＲＡ：Evolved UTRA）、ウルトラモバイルブロードバンド（ＵＭＢ：Ultra Mobile Broadband）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭ（登録商標）などの無線技術を実装し得る。ＵＴＲＡおよびＥ−ＵＴＲＡは、ユニバーサルモバイルテレコミュニケーションシステム（ＵＭＴＳ：Universal Mobile Telecommunication System）の一部である。周波数分割複信（ＦＤＤ）と時分割複信（ＴＤＤ）の両方における３ＧＰＰロングタームエボリューション（ＬＴＥ）およびＬＴＥ−アドバンスト（ＬＴＥ−Ａ）は、ダウンリンク上ではＯＦＤＭＡを利用し、アップリンク上ではＳＣ−ＦＤＭＡを利用するＥ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）と称する団体からの文書に記載されている。ｃｄｍａ２０００およびＵＭＢは、「第３世代パートナーシッププロジェクト２」（３ＧＰＰ２：3rd Generation Partnership Project 2）と称する団体からの文書に記載されている。本明細書で説明される技法は、上記のワイヤレスネットワークおよび無線技術、ならびに他のワイヤレスネットワークおよび無線技術のために使用され得る。明快のために、本技法のいくつかの態様が以下ではＬＴＥ／ＬＴＥ−Ａについて説明され、以下の説明の大部分でＬＴＥ／ＬＴＥ−Ａ用語が使用される。ＬＴＥおよびＬＴＥ−Ａは、概してＬＴＥと呼ばれる。
【００２４】
[0034]図１は、本開示の態様が実施され得る、基地局（ＢＳ）およびユーザ機器（ＵＥ）をもつ例示的なワイヤレス通信ネットワーク１００を示す。
【００２５】
[0035]たとえば、ワイヤレス通信ネットワーク１００中のいくつかのＵＥ１２０（たとえば、低コストマシンタイプ通信（ＭＴＣ）ＵＥ、低コスト拡張ＭＴＣ（ｅＭＴＣ）ＵＥなど）のための１つまたは複数のページングプロシージャ拡張が、サポートされ得る。本明細書で提示される技法によれば、ワイヤレス通信ネットワーク１００中のｅＮＢ１１０および（１つまたは複数の）ＵＥ１２０は、ワイヤレス通信ネットワーク１００によってサポートされる利用可能なシステム帯域幅から、どの（１つまたは複数の）狭帯域領域を（１つまたは複数の）ＵＥ１２０がワイヤレス通信ネットワーク１００中のｅＮＢ１１０から送信されたバンドルページングメッセージについて監視すべきであるかを決定することが可能であり得る。また、本明細書で説明される技法によれば、ワイヤレス通信ネットワーク１００中のｅＮＢ１１０および／または（１つまたは複数の）ＵＥ１２０は、ワイヤレス通信ネットワーク１００における１つまたは複数のトリガに基づいて、ページングメッセージのためのバンドリングサイズを決定し、および／または適応させることが可能であり得る。
【００２６】
[0036]ワイヤレス通信ネットワーク１００は、ロングタームエボリューション（ＬＴＥ）ネットワークまたは何らかの他のワイヤレスネットワークであり得る。ワイヤレス通信ネットワーク１００は、いくつかの発展型ノードＢ（ｅＮＢ）１１０と他のネットワークエンティティとを含み得る。ｅＮＢは、ＵＥと通信するエンティティであり、基地局（ＢＳ）、ノードＢ、アクセスポイント（ＡＰ）などと呼ばれることもある。各ｅＮＢは、特定の地理的エリアに通信カバレージを与え得る。３ＧＰＰでは、「セル」という用語は、この用語が使用されるコンテキストに応じて、ｅＮＢのカバレージエリアおよび／またはこのカバレージエリアをサービスしているｅＮＢサブシステムを指すことがある。
【００２７】
[0037]ｅＮＢは、マクロセル、ピコセル、フェムトセル、および／または他のタイプのセルに通信カバレージを与え得る。マクロセルは、比較的大きい地理的エリア（たとえば、半径数キロメートル）をカバーし得、サービスに加入しているＵＥによる無制限アクセスを可能にし得る。ピコセルは、比較的小さい地理的エリアをカバーし得、サービスに加入しているＵＥによる無制限アクセスを可能にし得る。フェムトセルは、比較的小さい地理的エリア（たとえば、自宅）をカバーし得、フェムトセルとの関連を有するＵＥ（たとえば、限定加入者グループ（ＣＳＧ）中のＵＥ）による制限付きアクセスを可能にし得る。マクロセルのためのｅＮＢはマクロｅＮＢと呼ばれることがある。ピコセルのためのｅＮＢはピコｅＮＢと呼ばれることがある。フェムトセルのためのｅＮＢはフェムトｅＮＢまたはホームｅＮＢ（ＨｅＮＢ）と呼ばれることがある。図１に示されている例では、ｅＮＢ１１０ａがマクロセル１０２ａのためのマクロｅＮＢであり、ｅＮＢ１１０ｂがピコセル１０２ｂのためのピコｅＮＢであり、ｅＮＢ１１０ｃがフェムトセル１０２ｃのためのフェムトｅＮＢであり得る。ｅＮＢは１つまたは複数の（たとえば、３つの）セルをサポートし得る。「ｅＮＢ」、「基地局」、および「セル」という用語は、本明細書では互換的に使用され得る。
【００２８】
[0038]ワイヤレス通信ネットワーク１００はまた、中継局を含み得る。中継局は、上流局（たとえば、ｅＮＢまたはＵＥ）からデータの送信を受信し、そのデータの送信を下流局（たとえば、ＵＥまたはｅＮＢ）に送ることができるエンティティである。中継局はまた、他のＵＥに対する送信を中継することができるＵＥであり得る。図１に示されている例では、中継（局）ｅＮＢ１１０ｄは、ｅＮＢ１１０ａとＵＥ１２０ｄとの間の通信を可能にするために、マクロｅＮＢ１１０ａおよびＵＥ１２０ｄと通信し得る。中継局はまた、リレーｅＮＢ、リレー基地局、リレーなどと呼ばれることもある。
【００２９】
[0039]ワイヤレス通信ネットワーク１００は、異なるタイプのｅＮＢ、たとえば、マクロｅＮＢ、ピコｅＮＢ、フェムトｅＮＢ、リレーｅＮＢなどを含む異種ネットワークであり得る。これらの異なるタイプのｅＮＢは、異なる送信電力レベル、異なるカバレージエリア、およびワイヤレス通信ネットワーク１００における干渉に対する異なる影響を有し得る。たとえば、マクロｅＮＢは、高い送信電力レベル（たとえば、５〜４０Ｗ）を有し得るが、ピコｅＮＢ、フェムトｅＮＢ、およびリレーｅＮＢは、より低い送信電力レベル（たとえば、０．１〜２Ｗ）を有し得る。
【００３０】
[0040]ネットワークコントローラ１３０は、ｅＮＢのセットに結合し得、これらのｅＮＢの協調および制御を行い得る。ネットワークコントローラ１３０はバックホールを介してｅＮＢと通信し得る。ｅＮＢはまた、たとえば、ワイヤレスバックホールまたはワイヤラインバックホールを介して直接または間接的に互いに通信し得る。
【００３１】
[0041]ＵＥ１２０（たとえば、１２０ａ、１２０ｂ、１２０ｃ）は、ワイヤレス通信ネットワーク１００全体にわたって分散され得、各ＵＥは固定式または移動可能であり得る。ＵＥは、アクセス端末、端末、移動局（ＭＳ）、加入者ユニット、局（ＳＴＡ）などと呼ばれることもある。ＵＥは、セルラーフォン、携帯情報端末（ＰＤＡ）、ワイヤレスモデム、ワイヤレス通信デバイス、ハンドヘルドデバイス、ラップトップコンピュータ、コードレスフォン、ワイヤレスローカルループ（ＷＬＬ）局、タブレット、スマートフォン、ネットブック、スマートブック、ウルトラブック、エンターテインメントデバイス（たとえば、音楽プレーヤ、ゲームデバイスなど）、カメラ、車両デバイス、ナビゲーションデバイス、ドローン、ロボット／ロボティックデバイス、ウェアラブルデバイス（たとえば、スマートウォッチ、スマート衣類、スマートリストバンド、スマートリング、スマートブレスレット、スマート眼鏡、バーチャルリアリティゴーグル）などであり得る。
【００３２】
[0042]ワイヤレス通信ネットワーク１００（たとえば、ＬＴＥネットワーク）中の１つまたは複数のＵＥ１２０はまた、たとえば、低コストＭＴＣ  ＵＥ、低コストｅＭＴＣ  ＵＥなど、低コスト、低データレートデバイスであり得る。低コストＵＥは、ＬＴＥネットワーク中のレガシーおよび／または高度ＵＥと共存し得、ワイヤレスネットワーク中の他のＵＥ（たとえば、非低コストＵＥ）と比較して制限された１つまたは複数の能力を有し得る。たとえば、ＬＴＥネットワーク中のレガシーおよび／または高度ＵＥと比較して、低コストＵＥは、（レガシーＵＥに対する）最大帯域幅の低減、単一の受信無線周波数（ＲＦ）チェーン、ピークレートの低減、送信電力の低減、ランク１送信、半二重動作などのうちの１つまたは複数を用いて動作し得る。本明細書で使用される、ＭＴＣデバイス、ｅＭＴＣデバイスなど、限られた通信リソースをもつデバイスは、概して低コストＵＥと呼ばれる。同様に、（たとえば、ＬＴＥにおける）レガシーおよび／または高度ＵＥなどのレガシーデバイスは、概して非低コストＵＥと呼ばれる。
【００３３】
[0043]図２は、それぞれ、図１中のＢＳ／ｅＮＢ１１０のうちの１つであり得るＢＳ／ｅＮＢ１１０および図１中のＵＥ１２０のうちの１つであり得るＵＥ１２０の設計のブロック図である。ＢＳ１１０はＴ個のアンテナ２３４ａ〜２３４ｔを装備し得、ＵＥ１２０はＲ個のアンテナ２５２ａ〜２５２ｒを装備し得、ただし、概してＴ≧１およびＲ≧１である。
【００３４】
[0044]ＢＳ１１０において、送信プロセッサ２２０が、１つまたは複数のＵＥについてデータソース２１２からデータを受信し、ＵＥから受信されたチャネル品質インジケータ（ＣＱＩ）に基づいて各ＵＥのための１つまたは複数の変調およびコーディング方式（ＭＣＳ）を選択し、そのＵＥのために選択された（１つまたは複数の）ＭＣＳに基づいて各ＵＥのためのデータを処理（たとえば、符号化および変調）し、すべてのＵＥについてデータシンボルを与え得る。送信プロセッサ２２０はまた、（たとえば、半静的リソース区分情報（ＳＲＰＩ：semi-static resource partitioning information）などのための）システム情報および制御情報（たとえば、ＣＱＩ要求、許可、上位レイヤシグナリングなど）を処理し、オーバーヘッドシンボルおよび制御シンボルを与え得る。プロセッサ２２０はまた、基準信号（たとえば、共通基準信号（ＣＲＳ：common reference signal））および同期信号（たとえば、１次同期信号（ＰＳＳ：primary synchronization signal）および２次同期信号（ＳＳＳ：secondary synchronization signal））のための基準シンボルを生成し得る。送信（ＴＸ）多入力多出力（ＭＩＭＯ）プロセッサ２３０は、適用可能な場合、データシンボル、制御シンボル、オーバーヘッドシンボル、および／または基準シンボルに対して空間処理（たとえば、プリコーディング）を実行し得、Ｔ個の出力シンボルストリームをＴ個の変調器（ＭＯＤ）２３２ａ〜２３２ｔに与え得る。各ＭＯＤ２３２は、出力サンプルストリームを取得するために、（たとえば、ＯＦＤＭなどのために）それぞれの出力シンボルストリームを処理し得る。各ＭＯＤ２３２はさらに、ダウンリンク信号を取得するために、出力サンプルストリームを処理（たとえば、アナログへの変換、増幅、フィルタ処理、およびアップコンバート）し得る。変調器２３２ａ〜２３２ｔからのＴ個のダウンリンク信号は、それぞれＴ個のアンテナ２３４ａ〜２３４ｔを介して送信され得る。
【００３５】
[0045]ＵＥ１２０において、アンテナ２５２ａ〜２５２ｒが、ＢＳ１１０および／または他のＢＳからダウンリンク信号を受信し得、受信信号をそれぞれ復調器（ＤＥＭＯＤ）２５４ａ〜２５４ｒに与え得る。各ＤＥＭＯＤ２５４は、入力サンプルを取得するために、それの受信信号を調整（たとえば、フィルタ処理、増幅、ダウンコンバート、およびデジタル化）し得る。各ＤＥＭＯＤ２５４はさらに、受信シンボルを取得するために、（たとえば、ＯＦＤＭなどのために）入力サンプルを処理し得る。ＭＩＭＯ検出器２５６は、すべてのＲ個の復調器２５４ａ〜２５４ｒから受信シンボルを取得し、適用可能な場合、受信シンボルに対してＭＩＭＯ検出を実行し、検出されたシンボルを与え得る。受信プロセッサ２５８は、検出されたシンボルを処理（たとえば、復調および復号）し、ＵＥ１２０のための復号されたデータをデータシンク２６０に与え、復号された制御信号およびシステム情報をコントローラ／プロセッサ２８０に与え得る。チャネルプロセッサは、基準信号受信電力（ＲＳＲＰ）、受信信号強度インジケータ（ＲＳＳＩ）、基準信号受信品質（ＲＳＲＱ）、ＣＱＩなどを決定し得る。
【００３６】
[0046]アップリンク上では、ＵＥ１２０において、送信プロセッサ２６４が、データソース２６２からのデータと、コントローラ／プロセッサ２８０からの（たとえば、ＲＳＲＰ、ＲＳＳＩ、ＲＳＲＱ、ＣＱＩなどを備えるレポートのための）制御情報とを受信し、処理し得る。プロセッサ２６４はまた、１つまたは複数の基準信号のための基準シンボルを生成し得る。送信プロセッサ２６４からのシンボルは、適用可能な場合はＴＸ  ＭＩＭＯプロセッサ２６６によってプリコーディングされ、（たとえば、ＳＣ−ＦＤＭ、ＯＦＤＭなどのために）ＭＯＤ２５４ａ〜２５４ｒによってさらに処理され、ＢＳ１１０に送信され得る。ＢＳ１１０において、ＵＥ１２０および他のＵＥからのアップリンク信号は、アンテナ２３４によって受信され、ＤＥＭＯＤ２３２によって処理され、適用可能な場合はＭＩＭＯ検出器２３６によって検出され、ＵＥ１２０によって送られた、復号されたデータおよび制御情報を取得するために、受信プロセッサ２３８によってさらに処理され得る。プロセッサ２３８は、復号されたデータをデータシンク２３９に与え、復号された制御情報をコントローラ／プロセッサ２４０に与え得る。ＢＳ１１０は、通信ユニット２４４を含み、通信ユニット２４４を介してネットワークコントローラ１３０に通信し得る。ネットワークコントローラ１３０は、通信ユニット２９４と、コントローラ／プロセッサ２９０と、メモリ２９２とを含み得る。
【００３７】
[0047]コントローラ／プロセッサ２４０および２８０は、それぞれＢＳ１１０およびＵＥ１２０における動作を指示し得る。たとえば、ＢＳ１１０におけるコントローラ／プロセッサ２４０および／または他のプロセッサおよびモジュールは、図７に示されている動作７００および／または本明細書で説明される技法のための他のプロセスを実行または指示し得る。同様に、ＵＥ１２０におけるコントローラ／プロセッサ２８０および／または他のプロセッサおよびモジュールは、図６に示されている動作６００および／または本明細書で説明される技法のためのプロセスを実行または指示し得る。メモリ２４２および２８２は、それぞれＢＳ１１０およびＵＥ１２０のためのデータおよびプログラムコードを記憶し得る。スケジューラ２４６は、ダウンリンクおよび／またはアップリンク上でのデータ送信のためにＵＥをスケジュールし得る。
【００３８】
[0048]図３は、ＬＴＥにおけるＦＤＤのための例示的なフレーム構造３００を示す。ダウンリンクおよびアップリンクの各々についての送信タイムラインは、無線フレームの単位に区分され得る。各無線フレームは、所定の持続時間（たとえば、１０ミリ秒（ｍｓ））を有し得、０〜９のインデックスをもつ１０個のサブフレームに区分され得る。各サブフレームは２つのスロットを含み得る。したがって、各無線フレームは、０〜１９のインデックスをもつ２０個のスロットを含み得る。各スロットは、Ｌ個のシンボル期間、たとえば、（図２に示されているように）ノーマルサイクリックプレフィックスの場合は７つのシンボル期間、または拡張サイクリックプレフィックスの場合は６つのシンボル期間を含み得る。各サブフレーム中の２Ｌ個のシンボル期間は０〜２Ｌ−１のインデックスを割り当てられ得る。
【００３９】
[0049]ＬＴＥでは、ｅＮＢは、ｅＮＢによってサポートされる各セルについてシステム帯域幅の中心１．０８ＭＨｚにおいてダウンリンク上で１次同期信号（ＰＳＳ）と２次同期信号（ＳＳＳ）とを送信し得る。ＰＳＳおよびＳＳＳは、図３に示されているように、それぞれ、ノーマルサイクリックプレフィックスをもつ各無線フレームのサブフレーム０および５中のシンボル期間６および５中に送信され得る。ＰＳＳおよびＳＳＳは、セル探索および捕捉のためにＵＥによって使用され得る。ｅＮＢは、ｅＮＢによってサポートされるセルごとにシステム帯域幅にわたってセル固有基準信号（ＣＲＳ：cell-specific reference signal）を送信し得る。ＣＲＳは、各サブフレームのいくつかのシンボル期間中に送信され得、チャネル推定、チャネル品質測定、および／または他の機能を実行するためにＵＥによって使用され得る。ｅＮＢはまた、いくつかの無線フレームのスロット１中のシンボル期間０〜３中に物理ブロードキャストチャネル（ＰＢＣＨ：physical broadcast channel）を送信し得る。ＰＢＣＨは何らかのシステム情報を搬送し得る。ｅＮＢは、いくつかのサブフレームにおいて物理ダウンリンク共有チャネル（ＰＤＳＣＨ：physical downlink shared channel）上でシステム情報ブロック（ＳＩＢ：system information block）などの他のシステム情報を送信し得る。ｅＮＢは、サブフレームの最初のＢ個のシンボル期間中に、物理ダウンリンク制御チャネル（ＰＤＣＣＨ：physical downlink control channel）上で制御情報／データを送信し得、ここで、Ｂは各サブフレームについて構成可能であり得る。ｅＮＢは、各サブフレームの残りのシンボル期間中に、ＰＤＳＣＨ上でトラフィックデータおよび／または他のデータを送信し得る。
【００４０】
[0050]ＬＴＥにおけるＰＳＳ、ＳＳＳ、ＣＲＳ、およびＰＢＣＨは、公開されている「Evolved Universal Terrestrial Radio Access (E-UTRA); Physical Channels and Modulation」と題する３ＧＰＰ  ＴＳ  ３６．２１１に記載されている。
【００４１】
[0051]図４は、ノーマルサイクリックプレフィックスをもつ、ダウンリンクのための２つの例示的なサブフレームフォーマット４１０および４２０を示す。ダウンリンクのための利用可能な時間周波数リソースはリソースブロックに区分され得る。各リソースブロックは、１つのスロット中で１２個のサブキャリアをカバーし得、いくつかのリソース要素を含み得る。各リソース要素は、１つのシンボル期間中に１つのサブキャリアをカバーし得、実数値または複素数値であり得る１つの変調シンボルを送るために使用され得る。
【００４２】
[0052]サブフレームフォーマット４１０は、２つのアンテナを装備したｅＮＢのために使用され得る。ＣＲＳは、シンボル期間０、４、７、および１１中にアンテナ０および１から送信され得る。基準信号は、送信機および受信機によってアプリオリに知られている信号であり、パイロットと呼ばれることもある。ＣＲＳは、たとえば、セル識別情報（ＩＤ）に基づいて生成された、セルに固有である基準信号である。図４では、ラベルＲａをもつ所与のリソース要素について、アンテナａからはそのリソース要素上で変調シンボルが送信され得、他のアンテナからはそのリソース要素上で変調シンボルが送信されないことがある。サブフレームフォーマット４２０は、４つのアンテナを装備したｅＮＢのために使用され得る。ＣＲＳは、シンボル期間０、４、７および１１中にアンテナ０および１から、ならびに、シンボル期間１および８中にアンテナ２および３から送信され得る。サブフレームフォーマット４１０と４２０の両方について、ＣＲＳは、セルＩＤに基づいて決定され得る、均等に離間したサブキャリア上で送信され得る。異なるｅＮＢが、それらのセルＩＤに応じて、同じまたは異なるサブキャリア上でそれらのＣＲＳを送信し得る。サブフレームフォーマット４１０と４２０の両方について、ＣＲＳのために使用されないリソース要素が、データ（たとえば、トラフィックデータ、制御データ、および／または他のデータ）を送信するために使用され得る。
【００４３】
[0053]ＬＴＥにおけるＦＤＤのためのダウンリンクおよびアップリンクの各々について、インターレース構造が使用され得る。たとえば、０〜Ｑ−１のインデックスをもつＱ個のインターレースが定義され得、ここで、Ｑは、４、６、８、１０、または何らかの他の値に等しくなり得る。各インターレースは、Ｑ個のフレームだけ離間されるサブフレームを含み得る。特に、インターレースｑは、サブフレームｑ、ｑ＋Ｑ、ｑ＋２Ｑなどを含み得、ここで、ｑ∈｛０，．．．，Ｑ−１｝である。
【００４４】
[0054]ワイヤレスネットワークは、ダウンリンクおよびアップリンク上でのデータ送信のためのハイブリッド自動再送要求（ＨＡＲＱ）をサポートし得る。ＨＡＲＱの場合、送信機（たとえば、ｅＮＢ１１０）は、パケットが受信機（たとえば、ＵＥ１２０）によって正確に復号されるか、または何らかの他の終了条件が遭遇されるまで、パケットの１つまたは複数の送信を送り得る。同期ＨＡＲＱの場合、パケットのすべての送信は、単一のインターレースのサブフレーム中で送られ得る。非同期ＨＡＲＱの場合、パケットの各送信は、任意のサブフレーム中で送られ得る。
【００４５】
[0055]ＵＥは、複数のｅＮＢのカバレージ内に位置し得る。これらのｅＮＢのうちの１つが、そのＵＥをサービスするために選択され得る。サービングｅＮＢは、受信信号強度、受信信号品質、経路損失など、様々な基準に基づいて選択され得る。受信信号品質は、信号対干渉プラス雑音比（ＳＩＮＲ：signal to interference plus noise ratio）、または基準信号受信品質（ＲＳＲＱ）、または何らかの他のメトリックによって定量化され得る。ＵＥは、ＵＥが１つまたは複数の干渉ｅＮＢからの高い干渉を観測し得る支配的干渉シナリオにおいて動作し得る。
【００４６】
[0056]上述のように、ワイヤレス通信ネットワーク（たとえば、ワイヤレス通信ネットワーク１００）中の１つまたは複数のＵＥは、ワイヤレス通信ネットワーク中の他の（非低コスト）デバイスと比較して、低コストＵＥなど、限られた通信リソースを有するデバイスであり得る。
例示的な低コストＭＴＣ
【００４７】
[0057]いくつかのシステムでは、たとえば、ＬＴＥ  Ｒｅｌ−１３では、低コストＵＥは、利用可能なシステム帯域幅内の（たとえば、６つ以下のリソースブロック（ＲＢ）の）特定の狭帯域割当てに限定され得る。しかしながら、低コストＵＥは、たとえば、ＬＴＥシステム内で共存するために、ＬＴＥシステムの利用可能なシステム帯域幅内の異なる狭帯域領域に再同調する（たとえば、動作するおよび／またはキャンピングする）ことが可能であり得る。
【００４８】
[0058]ＬＴＥシステム内での共存の別の例として、低コストＵＥは、レガシー物理ブロードキャストチャネル（ＰＢＣＨ）（たとえば、概して、セルへの初期アクセスのために使用され得るパラメータを搬送するＬＴＥ物理チャネル）を（繰り返しで）受信し、１つまたは複数のレガシー物理ランダムアクセスチャネル（ＰＲＡＣＨ）フォーマットをサポートすることが可能であり得る。たとえば、低コストＵＥは、複数のサブフレームにわたるＰＢＣＨの１回または複数回の追加の繰り返し（たとえば、バンドル）でレガシーＰＢＣＨを受信することが可能であり得る。別の例として、低コストＵＥは、ＬＴＥシステムにおけるｅＮＢ（たとえば、ｅＮＢ１１０）にＰＲＡＣＨの１回または複数回の繰り返しを（たとえば、１つまたは複数のＰＲＡＣＨフォーマットをサポートして）送信することが可能であり得る。ＰＲＡＣＨは、低コストＵＥを識別するために使用され得る。また、繰り返されるＰＲＡＣＨ試みの数は、ｅＮＢによって構成され得る。
【００４９】
[0059]低コストＵＥはまた、リンクバジェット制限デバイスであり得、それのリンクバジェット制限に基づいて（たとえば、低コストＵＥにまたはそこから送信されるメッセージについて異なる繰り返し数を使用する）異なる動作モードで動作し得る。たとえば、いくつかの場合には、低コストＵＥは、繰り返しがほとんどないか全くない（たとえば、ＵＥがメッセージを正常に受信および／または送信するために必要とされる繰り返し量が小さくなり得るか、または、繰り返しが必要とさえされないことがある）通常カバレージモードで動作し得る。代替的に、いくつかの場合には、低コストＵＥは、大きい量の繰り返しがあり得るカバレージ拡張（ＣＥ）モードで動作し得る。たとえば、３２８ビットペイロードの場合、ＣＥモードにある低コストＵＥは、ペイロードを正常に送信および／または受信するために、ペイロードの１５０回以上の繰り返しを必要とし得る。
【００５０】
[0060]いくつかの場合には（たとえば、ＬＴＥ  Ｒｅｌ−１３の場合）、低コストＵＥは、ブロードキャスト送信およびユニキャスト送信のそれの受信に関する制限された能力を有していることがある。たとえば、低コストＵＥによって受信されるブロードキャスト送信のための最大トランスポートブロック（ＴＢ）サイズは、１０００ビットに制限され得る。さらに、いくつかの場合には、低コストＵＥは、サブフレーム中で２つ以上のユニキャストＴＢを受信することが可能でないことがある。いくつかの場合には（たとえば、上記で説明されたＣＥモードと通常モードの両方の場合）、低コストＵＥは、サブフレーム中で２つ以上のブロードキャストＴＢを受信することが可能でないことがある。さらに、いくつかの場合には、低コストＵＥは、サブフレーム中でユニキャストＴＢとブロードキャストＴＢの両方を受信することが可能でないことがある。
【００５１】
[0061]ＭＴＣの場合、ＬＴＥシステムにおいて共存する低コストＵＥはまた、ページング、ランダムアクセスプロシージャなどのいくつかのプロシージャのための新しいメッセージを（たとえば、これらのプロシージャのためにＬＴＥにおいて使用される従来のメッセージとは対照的に）サポートし得る。言い換えれば、ページング、ランダムアクセスプロシージャなどのためのこれらの新しいメッセージは、非低コストＵＥに関連する同様のプロシージャのために使用されるメッセージとは別個であり得る。たとえば、ＬＴＥにおいて使用される従来のページングメッセージと比較して、低コストＵＥは、非低コストＵＥが監視および／または受信することが可能でないことがあるページングメッセージを監視および／または受信することが可能であり得る。同様に、従来のランダムアクセスプロシージャにおいて使用される従来のランダムアクセス応答（ＲＡＲ）メッセージと比較して、低コストＵＥは、非低コストＵＥが受信することが可能でないことがあるＲＡＲメッセージを受信することが可能であり得る。低コストＵＥに関連する新しいページングおよびＲＡＲメッセージはまた、１回または複数回繰り返され（たとえば、バンドルされ）得る。さらに、新しいメッセージについて異なる繰り返し数（たとえば、異なるバンドリングサイズ）がサポートされ得る。
広帯域システム内での例示的なＭＴＣ共存
【００５２】
[0062]上述のように、ＭＴＣおよび／またはｅＭＴＣ動作は、ワイヤレス通信ネットワーク（たとえば、ワイヤレス通信ネットワーク１００）中で（たとえば、ＬＴＥまたは何らかの他のＲＡＴとの共存において）サポートされ得る。図５および図５Ａは、ＭＴＣ動作中の低コストＵＥが、ＬＴＥなどの広帯域システム内でどのように共存し得るかの一例を示す。
【００５３】
[0063]図５の例示的なフレーム構造５００に示されているように、ＭＴＣおよび／またはｅＭＴＣ動作に関連するサブフレームは、ＬＴＥ（または何らかの他のＲＡＴ）に関連する標準サブフレームと時分割多重化（ＴＤＭ）され得る。たとえば、時間インスタンス５０２、５０６、および５１０において生じ得る標準サブフレームは、時間インスタンス５０４、５０８、および５１２において生じるＭＴＣサブフレームとＴＤＭされ得る。図５に示されているように、例示的な一実装形態では、（ｅ）ＭＴＣ動作に関連するサブフレームの数は、標準サブフレームの数と比較して、比較的小さくなり得る。
【００５４】
[0064]追加または代替として、図５Ａの例示的なフレーム構造５００Ａに示されているように、ＭＴＣにおいて低コストＵＥによって使用される１つまたは複数の狭帯域は、ＬＴＥによってサポートされるより広い帯域幅内で周波数分割多重化（ＦＤＭ）され得る。複数の狭帯域領域がＭＴＣおよび／またはｅＭＴＣ動作についてサポートされ得、各狭帯域領域は、合計６つ以下のＲＢである帯域幅にわたる。いくつかの場合には、ＭＴＣ動作における各低コストＵＥは、一度に（たとえば、１．４ＭＨｚまたは６つのＲＢにおいて）１つの狭帯域領域内で動作し得る。しかしながら、ＭＴＣ動作における低コストＵＥは、所与の時間に、より広いシステム帯域幅における他の狭帯域領域に再同調し得る。いくつかの例では、複数の低コストＵＥが同じ狭帯域領域によってサービスされ得る。他の例では、複数の低コストＵＥが、（たとえば、各狭帯域領域が６つのＲＢにわたる）異なる狭帯域領域によってサービスされ得る。また他の例では、低コストＵＥの異なる組合せが、１つまたは複数の同じ狭帯域領域および／または１つまたは複数の異なる狭帯域領域によってサービスされ得る。
【００５５】
[0065]図５Ａに示されているように、サブフレーム５００Ａ中で、低コストＵＥは、レガシー制御情報のための広帯域領域５０８Ａとデータのための広帯域領域５０２Ａおよび５０６Ａとを監視することができる。低コストＵＥは、様々な異なる動作のために狭帯域領域内で動作（たとえば、監視／受信／送信）し得る。たとえば、図５Ａに示されているように、サブフレームの（たとえば、６つ以下のＲＢにわたる）第１の狭帯域領域５０４Ａは、ワイヤレス通信ネットワーク中のＢＳからの１次同期信号（ＰＳＳ）、２次同期信号（ＳＳＳ）、物理ブロードキャストチャネル（ＰＢＣＨ）、ＭＴＣシグナリング、またはページング送信のいずれかについて、１つまたは複数の低コストＵＥによって監視され得る。同じく図５Ａに示されているように、低コストＵＥは、ＢＳから受信されたシグナリングにおいて前に構成されたＲＡＣＨまたはデータを送信するために、サブフレームの（たとえば、同じく広帯域データの６つ以下のＲＢにわたる）第２の狭帯域領域５１０Ａに再同調することができる。いくつかの場合には、第２の狭帯域領域５１０Ａは、第１の狭帯域領域５０４Ａを利用した同じ低コストＵＥによって利用され得る（たとえば、低コストＵＥは、第１の狭帯域領域中で監視した後に送信するために第２の狭帯域領域に再同調していることがある）。（図示されていないが）いくつかの場合には、第２の狭帯域領域５１０Ａは、第１の狭帯域領域５０４Ａを利用した低コストＵＥとは異なる低コストＵＥによって利用され得る。
【００５６】
[0066]本明細書で説明される例は６つのＲＢの狭帯域を仮定するが、本明細書で提示される技法が異なるサイズの狭帯域領域にも適用され得ることを、当業者は認識されよう。低コストｅＭＴＣのための例示的なページング拡張
【００５７】
[0067]上述のように、いくつかのシステム（たとえば、ＬＴＥ  Ｒｅｌ−１３システム）では、拡張マシンタイプ通信（ｅＭＴＣ）のための狭帯域動作がサポートされ得る。さらに、同じく上述のように、メッセージが低コストユーザ機器（ＵＥ）によって正常に受信および／または送信されるまで異なる繰り返し量を使用し得る、ｅＭＴＣにおける低コストＵＥなどの低コストデバイスのための異なる動作モードも、サポートされ得る。いくつかの状況では、狭帯域動作のサポートにより、基地局（ＢＳ）および／または低コストＵＥは、利用可能なシステム帯域幅からのどの狭帯域領域で、ページングメッセージが（たとえば、ＢＳによって）送信されるべきであるかまたは（たとえば、低コストＵＥによって）監視されるべきであるかを知らないことがある。さらに、いくつかの状況では、サポートされる異なるカバレージモードにより、ＢＳは、低コストＵＥがページングメッセージを正常に受信するためにページングメッセージのどのくらいのバンドリングが必要とされるのかを知っていることがある。
【００５８】
[0068]したがって、本開示の態様は、利用可能なシステム帯域幅から、どの（１つまたは複数の）狭帯域領域を低コストＵＥがＢＳから送信されたバンドルページングメッセージについて監視すべきであるかを決定するための技法を提供する。さらに、本明細書で提示される技法は、１つまたは複数のトリガに基づいてページングメッセージのバンドリングサイズを決定し、および／または適応させることをも可能にし得る。
【００５９】
[0069]図６は、本開示のいくつかの態様による、ワイヤレス通信のための例示的な動作６００を示す。動作６００は、図１および図２に示されているＵＥ１２０のうちの１つであり得る、低コストＵＥなどのＵＥによって実行され得る。動作６００は、６０２において、ＵＥがＢＳからバンドルページングメッセージを受信するためのバンドルページングオケージョンに対応するサブフレームのセットを決定することによって開始し得る。６０４において、ＵＥは、サブフレームのセット内で、ページングメッセージを受信するための少なくとも１つの狭帯域領域を決定する。６０６において、ＵＥは、サブフレームのセット内の少なくとも１つの狭帯域領域中でページングメッセージを監視する。図６Ａは、図６に記載されている動作を実行することが可能な例示的な手段を示す。
【００６０】
[0070]図７は、本開示のいくつかの態様による、ワイヤレス通信のための例示的な動作７００を示す。動作７００は、図１および図２に示されているＢＳ／ｅＮＢ１１０のうちの１つなどのＢＳによって実行され得、動作６００に対応するネットワーク側動作であり得る。動作７００は、７０２において、バンドルページングメッセージを低コストＵＥなどのＵＥに送信するためのバンドルページングオケージョンに対応するサブフレームのセットを決定することによって開始し得る。７０４において、ＢＳは、サブフレームのセット内で、ページングメッセージをＵＥに送信するための少なくとも１つの狭帯域領域を決定する。７０６において、ＢＳは、サブフレームのセットの少なくとも１つの狭帯域領域中でページングメッセージをＵＥに送信する。図７Ａは、図７に記載されている動作を実行することが可能な例示的な手段を示す。
【００６１】
[0071]上述のように、いくつかのシステムでは（たとえば、ＬＴＥ  Ｒｅｌ−１３では）、低コストＵＥのためのページングプロシージャは、狭帯域動作および／または変動するバンドルサイズ（たとえば、複数のサブフレームバンドリングサイズがサポートされ得る）を用いたページング繰り返し（たとえば、バンドリング）を可能にし得る。本明細書で使用される、ページングメッセージのバンドリングサイズは、ページングメッセージが低コストＵＥに送信される／繰り返されるサブフレームの数を指すことがある。
【００６２】
[0072]いくつかの態様によれば、ワイヤレス通信ネットワーク中のデバイス（たとえば、低コストＵＥおよび／またはＢＳ）が、どのページングリソースを低コストＵＥがＢＳから送信されたページングメッセージについて監視すべきであるかを知るために、ページングリソースが最初に決定される必要があり得る。たとえば、いくつかのシステム（たとえば、ＬＴＥ  Ｒｅｌ−１３システム）では、ページングリソースは、（たとえば、従来のページングプロシージャにおけるページングフレーム（ＰＦ）およびページングオケージョン（ＰＯ）のみとは対照的に）ＰＦと、ＰＯと、ページング狭帯域領域（ＰＮＢ）とを含み得る。
【００６３】
[0073]ＰＦは、概して、バンドルページングメッセージが送信され得る１つまたは複数のＰＯを含み得る１つの無線フレームを指すことがある。ＰＯは、概して、ＢＳ／ネットワークが低コストＵＥをページングし得るＰＦ内のサブフレームを指すことがある。たとえば、低コストＵＥのために構成されたＰＯでは、低コストＵＥは、ページングメッセージをアドレス指定するページング無線ネットワーク一時識別子（Ｐ−ＲＮＴＩ）の送信について物理ダウンリンク制御チャネル（ＰＤＣＣＨ）または拡張ＰＤＣＣＨ（ｅＰＤＣＣＨ）を監視し得る。いくつかの態様によれば、バンドルＰＯは、ＢＳ／ネットワークがバンドルページングメッセージを低コストＵＥに送信し得る複数のサブフレームを指すことがある。
例示的なページングリソース決定
【００６４】
[0074]いくつかの態様によれば、ＰＦおよび（バンドルページングメッセージがＢＳから送信され得る複数のサブフレームに対応し得る）バンドルＰＯの決定は、（たとえば、レガシーＬＴＥのための）従来のページングプロシージャにおいてＰＦとＰＯとを決定するために現在使用されている式に基づいて決定され得る。（ＰＦおよびＰＯのための）これらの式は、システムフレーム番号（ＳＦＮ）と、低コストＵＥを一意に識別するＵＥ＿ＩＤとに部分的に基づき得る。ＰＦおよびバンドルＰＯの決定の後に、低コストＵＥおよび／またはＢＳは、低コストＵＥが、（たとえば、ページングメッセージを監視するために適切な狭帯域領域に同調して、）ＢＳから送信されたバンドルページングメッセージを監視し得る少なくとも１つの狭帯域（ＮＢ）領域を決定し得る。図８は、たとえば、低コストＵＥのための異なる狭帯域領域がＭＴＣページングサイクルにおいてどのように利用され得るかの一例を示す時間／周波数グラフである。
【００６５】
[0075]図８に示されているように、レガシーＵＥのために利用されるレガシーページングサイクルと低コストＵＥのために利用されるＭＴＣページングサイクルとは、同じワイヤレス通信システム内で共存し得る。ただし、たとえば、レガシーページングサイクルに関連する（たとえば、バンドリングを使用しない）レガシーページは、総利用可能帯域幅から区分される１つまたは複数の狭帯域領域上で、バンドリングを用いて送信され得る、ＭＴＣページングサイクルに関連するＭＴＣページと比較して、ある帯域幅に制限される広帯域ページであり得る。たとえば、図８に示されているように、ＭＴＣページングサイクル中に、１つまたは複数の低コストＵＥは、狭帯域領域１（８０６および８１２）中で送信され得るＭＴＣページを監視し得、１つまたは複数の異なる低コストＵＥは、狭帯域領域２（８０４および８１０）中で送信され得るＭＴＣページを監視し得る。レガシーページングサイクル中に、レガシーＵＥは、広帯域領域８０２および８０８中で送信されるレガシーページを監視し得る。図８に示されているように、レガシーページングサイクルとＭＴＣページングサイクルとは重複し得る。
【００６６】
[0076]いくつかの態様によれば、（図８に示されている）ＭＴＣページはバンドルページングメッセージであり得る。上述のように、バンドルページングメッセージは、ページングメッセージが１つのＭＴＣページングサイクルにおいてそこの中で送信される／繰り返されるサブフレームの数を指すことがある。図示されていないが、狭帯域領域１  ８０４および８１０中のＭＴＣページのためのバンドリングの量と、狭帯域領域２  ８０６および８１２中のＭＴＣページのためのバンドリングの量とは、（図示のように）同じであることも異なること（図示せず）もある。さらに、図示されていないが、ＭＴＣページのためのバンドリングの量はページングサイクル間で変動し得る。
【００６７】
[0077]いくつかの態様によれば、狭帯域領域の決定は、デフォルト狭帯域領域に基づき得る。たとえば、いくつかの場合には、デフォルト狭帯域領域は、利用可能なシステム帯域幅の中心の６つのＲＢを含み得、低コストＵＥは、中心の６つのＲＢに常に同調するように構成され得る。ただし、概して、他のデフォルト狭帯域領域がサポート／構成され得ることを、当業者は諒解されよう。
【００６８】
[0078]いくつかの態様によれば、狭帯域領域の決定は、低コストＵＥの識別情報（ＩＤ）に基づき得る。たとえば、いくつかの場合には、ＵＥ  ＩＤは、従来のページングプロシージャにおけるＰＦおよびＰＯの決定において利用されるＵＥ＿ＩＤと同様であり得る。いくつかの場合には、ＵＥ  ＩＤは、低コストＵＥを一意に識別するが、従来のページングプロシージャにおいて利用されるＵＥ＿ＩＤとは異なるＩＤであり得る。いくつかの態様では、決定された１つまたは複数の狭帯域領域がある場合、ＵＥ  ＩＤは、１つまたは複数の決定された狭帯域領域にわたって低コストＵＥをランダム化するために利用され得る。
【００６９】
[0079]いくつかの態様によれば、狭帯域領域の決定は、ＢＳからのシグナリングに基づき得る。たとえば、ある場合には、低コストＵＥは、どの狭帯域領域を低コストＵＥがＢＳから送信されたバンドルページングメッセージについて監視すべきかを明示的に示す、無線リソース制御（ＲＲＣ）シグナリングおよび／または非アクセス層（ＮＡＳ）シグナリングを受信し得る。いくつかの場合には、低コストＵＥは、どの狭帯域領域をそれがＢＳから送信されたバンドルページングメッセージについて監視すべきかを、バンドルページングメッセージのサイズを示すシグナリングに基づいて、暗黙的に決定し得る。たとえば、ワイヤレス通信システム中の１つまたは複数の低コストＵＥは、（たとえば、その特定のグループのための無線状態などに応じて）バンドリングサイズに基づいて、一緒にグループ化され得、低コストＵＥの異なるグループは、利用可能なシステム帯域幅内の異なる狭帯域領域に割り当てられ得る。
【００７０】
[0080]いくつかの態様によれば、ＰＦおよびＰＯの決定のために従来のプロシージャを再利用することの代わりに、（バンドル）ＰＯに対応する複数のサブフレームと１つまたは複数の狭帯域領域との決定は、一緒に決定され得る（たとえば、同じアルゴリズム／式に基づいて決定され得る）。いくつかの態様では、複数のサブフレームの各サブフレーム内の１つまたは複数の狭帯域領域は、時間および／または周波数における追加のＰＯリソースと見なされ得る。たとえば、Ｎ個の狭帯域領域がある場合、デバイス（たとえば、ＢＳおよび／または低コストＵＥ）は、Ｎ×ＰＯリソースがあると決定し得る。いくつかの態様では、１つまたは複数の狭帯域領域（たとえば、Ｎ＊ＰＯ個のＰＯリソース）および複数のサブフレームの一緒の決定は、ＢＳからのシグナリングおよび／またはＵＥ  ＩＤに基づき得る。
【００７１】
[0081]上記で説明された様々な技法は、利用可能なシステム帯域幅から、どの狭帯域領域を低コストＵＥがＢＳから送信されたバンドルページングメッセージについて監視すべきであるかを決定するために組み合わせられ得る。たとえば、ある場合には、低コストＵＥは、狭帯域領域を明示的に示すシグナリングを最初に受信し得るが、シグナリングが利用可能でないと低コストＵＥが決定した場合、低コストＵＥは、ＵＥ  ＩＤ、デフォルト値などに基づいて決定を行うことに頼り得る。
例示的なページングバンドリングサイズ決定
【００７２】
[0082]上述のように、本明細書で説明される技法はまた、ＵＥおよび／またはＢＳが、ＢＳによって送信されるバンドルページングメッセージのためのバンドリングサイズを決定し、および／または適応させることを可能にし得る。たとえば、いくつかの場合には、低コストＵＥは、ＢＳからのシグナリングに基づいてバンドリングサイズを決定することができる。いくつかの場合には、バンドリングサイズは、ページングメッセージを低コストＵＥに送信するためにＢＳによって使用される狭帯域領域に基づいて決定され得る。たとえば、上述のように、利用可能なシステム帯域幅から区分される１つまたは複数の狭帯域領域の各々は、ページングメッセージの送信のための特定の量のバンドリングをサポートし得る。さらに、同じく上述のように、狭帯域領域のうちのいくつかによってサポートされるバンドリングの量は、他の狭帯域領域によってサポートされるバンドリングの量と同じである（または異なる）こともある。したがって、いくつかの場合には、ページングメッセージを送信するためにどの狭帯域領域が使用されるのかを決定すると、ＢＳおよび／または低コストＵＥは、その狭帯域領域中で使用されるサポートされるバンドリングサイズに基づいて、ページングメッセージのために使用される特定のバンドリングサイズを決定し得る。いくつかの場合には、低コストＵＥは、次いで、決定されたバンドリングサイズに基づいて、複数のサブフレームの狭帯域領域中でページングメッセージを監視し得る。同様に、いくつかの場合には、ＢＳは、決定されたバンドリングサイズに基づいて、複数のサブフレームの狭帯域領域中でページングメッセージをＵＥに送信し得る。
【００７３】
[0083]いくつかの態様によれば、低コストＵＥは、ネットワークに接続モード（たとえば、モード１、モード２、モード３など）を示し得る。ＰＦのためのバンドリングサイズは、接続モードに基づいて決定され得る。たとえば、接続モード（たとえば、モード１）は、ＵＥが非モビリティモードで展開されることを示し得る（たとえば、低コストＵＥは、概して、ＵＥが同じＢＳの下でキャンピングしている／サービスされる固定ロケーション中で展開されることを期待される）。別の接続モード（たとえば、モード２）は、ＵＥが標準モビリティモードで展開されることを示し得る。接続モード（たとえば、モード１）はまた、低コストＵＥが通常電力選好モードで展開されることを示し得、別の接続モード（たとえば、モード２）は、低コストＵＥが低電力選好モードで展開されることを示し得る。いくつかの態様によれば、低コストＵＥの接続モードは、セル選択／再選択時にＵＥ挙動を決定し得る。たとえば、低コストＵＥがある接続モード（たとえば、モード１）で展開される場合、ランダムアクセスプロシージャがトリガ／実行され得る。代替的に、たとえば、低コストＵＥが別の接続モード（たとえば、モード２）で展開される場合、低コストＵＥは、事前構成された値に基づいてバンドリングサイズを決定し得る。態様では、低コストＵＥは、ページングメッセージのためのバンドリングサイズのための新しい値を選択し得る。
【００７４】
[0084]いくつかの態様によれば、ＢＳは、ＵＥからの応答が検出されるまで、または、インジケーション(indication)がネットワークから受信されるまで、ＵＥへのページングメッセージの複数のバンドル送信を送ることによって、ページングメッセージをＵＥに送信し得る。いくつかの態様によれば、複数のバンドル送信は、増加するバンドリングサイズのものであり得る。一例として、複数のバンドル送信の各バンドル送信のバンドリングサイズは、複数のバンドル送信の前のバンドル送信のバンドリングサイズよりも大きい。
【００７５】
[0085]図９および図１０は、ＢＳによって低コストＵＥに送信されるページングメッセージのバンドリングサイズを決定するための、それぞれ、例示的なコールフロー９００および１０００を示す。図９および図１０に示されているｅＮＢおよびＭＴＣデバイス（たとえば、低コストＵＥ）は、図１および図２に示されている、それぞれ、ＢＳ／ｅＮＢ１１０およびＵＥ１２０のいずれかであり得る。
【００７６】
[0086]いくつかの態様によれば、図９に示されているように、バンドリングサイズは、ＢＳによって正常に復号されたバンドルランダムアクセスチャネル（ＲＡＣＨ）送信のバンドリングサイズに基づいて決定され得る。
【００７７】
[0087]アップリンク上でＲＡＣＨを実行する（たとえば、ＲＡＣＨメッセージを送信する）とき、低コストＵＥは、ＢＳがＲＡＣＨ送信を正常に復号することが可能になるまで、ＲＡＣＨ送信の複数のバンドルサイズを試み得る。たとえば、図９に示されているように、９０２における第１の試みにおいて、低コストＵＥ１２０は、第１のバンドルＲＡＣＨ送信のための２のバンドリングサイズ（たとえば、ＲＡＣＨ送信の２回の繰り返し）を試み得る。９０４において第１の試みが失敗した場合、９０６における第２の試みにおいて、低コストＵＥ１２０は、第２のバンドルＲＡＣＨ送信のための３のバンドリングサイズを使用することができる。同様に、９０８において第２の試みが失敗した場合、９１０における第３の試みにおいて、ＵＥは、第３のバンドルＲＡＣＨ送信のための４のバンドリングサイズを使用することができ、以下同様である。いくつかの態様によれば、バンドルページングメッセージのためのバンドリングサイズの決定は、ＢＳによって正常に復号されたバンドルＲＡＣＨのサイズに基づいて（たとえば、ＢＳによって）決定され得る。たとえば、図示のように、第３の復号試みにおいて、ＢＳが第３のバンドルＲＡＣＨを正常に復号した場合、ＢＳは、第３のバンドルＲＡＣＨに基づいてページングバンドリングサイズを決定し得る。
【００７８】
[0088]図９に示されているように、たとえば第３のバンドルＲＡＣＨ送信の後に９１２において、ＲＡＣＨ試みが成功した場合、ｅＮＢ１１０は、９１４において第３のバンドルＲＡＣＨ送信のためのバンドリングサイズに基づいてページングのためのバンドリングサイズを決定する。
【００７９】
[0089]いくつかの態様によれば、図１０に示されているように、バンドリングサイズは、ＢＳからのバンドル送信を正常に復号（たとえば、早期に復号）するために必要とされる試みの数に基づいて決定され得る。
【００８０】
[0090]たとえば、図１０に示されているように、低コストＵＥ１２０は、（たとえば、ブロードキャスト送信の１つまたは複数の繰り返しで）１００２においてバンドルブロードキャスト送信を受信し、バンドルブロードキャスト送信を早期に復号（たとえば、繰り返しのすべてを受信する前にブロードキャスト送信を正常に復号）することを試み得る。低コストＵＥ１２０がブロードキャスト送信を早期に復号することが可能である場合、低コストＵＥ１２０は、１００４において、ブロードキャスト送信が早期に復号されたことを示す。
【００８１】
[0091]いくつかの態様によれば、１００６におけるバンドリングページングメッセージのためのバンドリングサイズの決定は、低コストＵＥ１２０からの早期復号インジケーションに基づいて（たとえば、ＢＳによって）決定され得る。いくつかの態様では、早期復号インジケーションはまた、バンドリングサイズを調整するために使用され得る。たとえば、図示のように、低コストＵＥ１２０からのインジケーションに基づいて、ＢＳ１１０は、２のバンドリングサイズを用いてバンドルページングメッセージを送信し得る。
【００８２】
[0092]いくつかの態様によれば、バンドリングサイズは、低コストＵＥから送信された測定報告に基づいて決定され得る。たとえば、低コストＵＥは、ＲＲＣアイドルからＲＲＣ接続への遷移中に１つまたは複数の測定報告をＢＳに送信し得、ＢＳは、バンドルページングメッセージのためのバンドリングサイズを決定するために、測定報告中の１つまたは複数の値を使用することができる。１つまたは複数の値（たとえば、ＲＳＲＰ、信号対雑音比（ＳＮＲ）など）は、低コストＵＥとＢＳとの間の無線状態を示し得る。（１つまたは複数の）測定報告中の１つまたは複数の値に基づいて、ＢＳは、ページングのためのバンドリングサイズが増加されるべき（たとえば、（１つまたは複数の）測定報告が、たとえば、あるしきい値を下回る不十分な無線状態を示す場合）であるのか、減少されるべき（たとえば、（１つまたは複数の）測定報告が、あるしきい値を上回る無線状態を示す場合）であるのかを決定することができる。
【００８３】
[0093]いくつかの態様によれば、ページングのためのバンドリングサイズはまた、ＢＳによって送信された１つまたは複数のバンドルページングメッセージの成功した復号に基づいて決定され得る。
【００８４】
[0094]たとえば、いくつかの場合には、ＢＳは、バンドルブランクページングメッセージ（たとえば、プロービングのためのページングメッセージ）を低コストＵＥに送信し得、ここで、バンドルブランクページングメッセージの各々は、低コストＵＥに知られているバンドルサイズで送信され得る。再び図１０を参照すると、たとえば、バンドル送信は、ＢＳ１１０によって周期的に送信される（低コストＵＥ１２０によって知られている）６のバンドリングサイズを用いたバンドルブランクページング送信であり得る。低コストＵＥ１２０は、次いで、バンドルブランクページングメッセージを復号することを試み得、どのページングメッセージが成功したかについてＢＳ１１０に通知し得る。たとえば、低コストＵＥ１２０は、２つの試み（すなわち、６回の繰り返しのうちの２回目の試み）の後にページングメッセージを正常に復号し、低コストＵＥ１２０は、低コストＵＥ１２０が２つの試みの後にバンドルページングメッセージを正常に復号することができたことをＢＳ１１０に示し得る。低コストＵＥ１２０がバンドルページングメッセージを正常に復号することができなかった場合、低コストＵＥ１２０は、それがページングメッセージを正常に復号することができなかったことをＢＳ１１０に示し得る。ＢＳ１１０は、次いで、その示された情報を、バンドルページングメッセージのための更新されたバンドリングサイズ（たとえば、前のバンドリングサイズに対する減少または増加されたバンドリングサイズ）を決定するために使用し得る。たとえば、低コストＵＥ１２０からのインジケーションに基づいて、ＢＳ１１０は、２のバンドリングサイズがバンドルページングメッセージのために十分であると決定し得る。
ページングのためのバンドリングサイズを決定するための例示的なトリガ
【００８５】
[0095]いくつかの態様によれば、（たとえば、ＢＳによる）バンドリングサイズの決定がトリガされ得る。いくつかの場合には、これらのトリガは、１つまたは複数の条件が満たされたとき、バンドルページングメッセージのバンドリングサイズが（上述のように）適応／更新されることを可能にし得る。
【００８６】
[0096]いくつかの態様によれば、バンドリングサイズの決定は、低コストＵＥによる各ＲＲＣ接続試みをトリガされ得る。たとえば、低コストＵＥがＲＲＣアイドルからＲＲＣ接続への遷移を行うたびに、ＢＳは、低コストＵＥに送信されるべきバンドルページングメッセージのためのバンドリングサイズを決定し得る（たとえば、無線状態、低コストＵＥからの測定報告など）。ＢＳは、低コストＵＥにバンドルページングサイズのインジケーションをシグナリングすることができる。
【００８７】
[0097]いくつかの態様によれば、バンドリングサイズの決定はまた、（たとえば、ＲＲＣまたはＮＡＳプロシージャの一部として行われ得る）低コストＵＥによる初期接続プロシージャ中またはトラッキングエリア更新（ＴＡＵ）中にトリガされ得る。いくつかの態様によれば、バンドリングサイズの決定は、低コストＵＥが新しいセルを選択または再選択するとき、トリガされ得る。たとえば、いくつかの場合には、低コストＵＥが新しいセルを選択するか、またはそれに移動するとき、低コストＵＥと新しいセルとの間の無線状態は変化することがあり、新しいセルは、更新された状態の知識を有しないことがある。これに対処するために、本明細書で提示される技法は、低コストＵＥが新しいセルを選択または再選択するたびにバンドリングサイズが決定されることを可能にし得る。例示的な実装形態では、低コストＵＥが新しいセルを選択または再選択するとき、低コストＵＥは、新しいバンドリングサイズの決定をトリガするためにＲＲＣ接続を開始することができる。
【００８８】
[0098]いくつかの態様によれば、ページングのためのバンドリングサイズの決定は、低コストＵＥによってトリガされ得る。たとえば、低コストＵＥは、ＢＳによって設定された現在のバンドリングサイズが不正確であり、１つまたは複数の条件に基づいて更新されるべきであると決定し得る。いくつかの場合には、低コストＵＥは、低コストＵＥが（たとえば、しきい値期間よりも長い）ある時間期間にわたってページングメッセージを受信しなかった場合、現在のバンドリングサイズが更新されるべきであると決定（たとえば、決定をトリガ）し得る。いくつかの場合には、低コストＵＥが、前に送信されたバンドルページングメッセージのための、ＢＳによって使用されるバンドリングサイズよりも著しく小さいバンドリングを用いてページを収集することが可能であることを、低コストＵＥが検出した場合（たとえば、低コストＵＥが図１０に示されているものと同様の方法で早期に復号した場合）、低コストＵＥは、現在のバンドリングサイズが更新されるべきであると決定し得る。いくつかの場合には、低コストＵＥが、１つまたは複数の測定値（たとえば、ＲＳＲＰ、ＳＮＲなど）に基づいて、低コストＵＥとＢＳとの間の無線状態が著しく変化したと決定した場合、低コストＵＥは、現在のバンドリングサイズが更新されるべきであると決定し得る。
【００８９】
[0099]低コストＵＥが、バンドリングサイズが更新されるべきであると決定した場合、低コストＵＥは、ＲＲＣ接続プロシージャを実行することによってバンドリングサイズ更新をトリガすることができる。いくつかの態様によれば、低コストＵＥはまた、たとえば、ページングのためのバンドリングサイズを更新するためにＲＲＣ接続プロシージャを周期的に実行することによって、バンドリングサイズの決定を周期的にトリガすることができる。
【００９０】
[0100]いくつかの態様によれば、低コストＵＥは、（たとえば、ＢＳによって暗黙的にまたは明示的に）ページングメッセージのための決定されたバンドリングサイズについて通知され得る。一例では、低コストＵＥは、（たとえば、低コストＵＥがＲＲＣアイドルに戻る前に）半静的に、決定されたバンドリングサイズについて通知され得る。別の例では、低コストＵＥは、（たとえば、ページングメッセージ許可の一部として）動的に、決定されたバンドリングサイズについて通知され得る。いくつかの態様によれば、ＢＳはまた、ページングのための決定されたバンドリングサイズについてネイバーＢＳ／ｅＮＢおよび／またはＭＭＥに通知し得る。
【００９１】
[0101]上記で説明された様々な技法は、バンドルページングメッセージのためのバンドリングサイズを決定し、および／またはバンドリングサイズの決定がいつトリガされるかを決定するために、組み合わせられ得る。たとえば、ある場合には、ＢＳは、低コストＵＥがＲＲＣ接続モードにある間に低コストＵＥによって行われた１つまたは複数の測定値をもつ測定報告および／またはＢＳによるバンドルブロードキャスト送信の早期復号に基づく低コストＵＥからの早期復号インジケーションを受信し得る。別の場合には、バンドリングサイズの決定は、低コストＵＥによって周期的におよび／あるいは低コストＵＥが新しいセルを選択または再選択するたびにトリガされ得る。概して、本明細書で説明された他の同様の技法も、低コストＵＥのためのページングプロシージャを拡張するために組み合わせられ得ることを、当業者は諒解されよう。
【００９２】
[0102]さらに、本明細書で説明された様々な技法は、ＭＴＣおよびｅＭＴＣのためのページングプロシージャを拡張するために使用され得る。本明細書で提示された技法が、ランダムアクセスプロシージャ、システム情報の送信／受信など、ＭＴＣおよび／またはｅＭＴＣにおける他のプロシージャにも適用され得ることを、当業者は諒解されよう。
【００９３】
[0103]本明細書で使用される、項目のリスト「のうちの少なくとも１つ」を指す句は、単一のメンバーを含む、それらの項目の任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃ、ならびに複数の同じ要素をもつ任意の組合せ（たとえば、ａ−ａ、ａ−ａ−ａ、ａ−ａ−ｂ、ａ−ａ−ｃ、ａ−ｂ−ｂ、ａ−ｃ−ｃ、ｂ−ｂ、ｂ−ｂ−ｂ、ｂ−ｂ−ｃ、ｃ−ｃ、およびｃ−ｃ−ｃ、またはａ、ｂ、およびｃの任意の他の順序）を包含するものとする。
【００９４】
[0104]本明細書で使用される「識別すること」という用語は、多種多様なアクションを包含する。たとえば、「識別すること」は、計算すること、算出すること、処理すること、導出すること、調査すること、ルックアップすること（たとえば、テーブル、データベースまたは別のデータ構造においてルックアップすること）、確認することなどを含み得る。また、「識別すること」は、受信すること（たとえば、情報を受信すること）、アクセスすること（たとえば、メモリ中のデータにアクセスすること）などを含み得る。また、「識別すること」は、解決すること、選択すること、選定すること、確立することなどを含み得る。
【００９５】
[0105]いくつかの場合には、フレームを実際に通信するのではなく、デバイスは、送信または受信のためにフレームを通信するためのインターフェースを有し得る。たとえば、プロセッサは、バスインターフェースを介して、送信のためにＲＦフロントエンドにフレームを出力し得る。同様に、フレームを実際に受信するのではなく、デバイスが、別のデバイスから受信されたフレームを取得するためのインターフェースを有し得る。たとえば、プロセッサは、バスインターフェースを介して、送信のためにＲＦフロントエンドからフレームを取得（または受信）し得る。
【００９６】
[0106]本明細書で開示される方法は、説明された方法を達成するための１つまたは複数のステップまたはアクションを備える。本方法のステップおよび／またはアクションは、特許請求の範囲から逸脱することなく互いに交換され得る。言い換えれば、ステップまたはアクションの特定の順序が指定されない限り、特定のステップおよび／またはアクションの順序および／または使用は、特許請求の範囲から逸脱することなく変更され得る。
【００９７】
[0107]上記で説明された方法の様々な動作は、対応する機能を実行することが可能な任意の好適な手段によって実行され得る。１つまたは複数のプロセッサ、回路、または他のデバイスはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。それらの手段は、限定はしないが、回路、特定用途向け集積回路（ＡＳＩＣ）、またはプロセッサを含む、様々な（１つまたは複数の）ハードウェアおよび／またはソフトウェア構成要素および／またはモジュールを含み得る。概して、図に示されている動作がある場合、それらの動作は、任意の好適な対応するカウンターパートのミーンズプラスファンクション構成要素によって実行され得る。
【００９８】
[0108]たとえば、受信する手段および／または監視するための手段は、図２に示されている基地局１１０の受信プロセッサ２３８、ＭＩＭＯ検出器２３６、（１つまたは複数の）復調器２３２ａ〜２３２ｔ、および／または（１つまたは複数の）アンテナ２３４ａ〜２３４ｔ、ならびに／あるいは、図２に示されているユーザ機器１２０のＭＩＭＯ検出器２５６、受信プロセッサ２５８、（１つまたは複数の）復調器２５４ａ〜２５４ｒ、および／または（１つまたは複数の）アンテナ２５２ａ〜２５２ｒなどの受信機を含み得る。決定するための手段、監視する手段、復号するための手段、示すための手段、選択するための手段、および／または実行するための手段は、図２に示す基地局１１０のコントローラ／プロセッサ２４０、スケジューラ２４６、送信機プロセッサ２２０、受信プロセッサ２３８、ＭＩＭＯ検出器２３６、ＴＸ  ＭＩＭＯプロセッサ２３０、および／または（１つまたは複数の）変調器／（１つまたは複数の）復調器２３２ａ〜２３２ｔ、ならびに／あるいは、図２に示されているユーザ機器１２０のコントローラ／プロセッサ２８０、受信プロセッサ２５８、送信プロセッサ２６４、ＭＩＭＯ検出器２５６、ＴＸ  ＭＩＭＯプロセッサ２６６、および／または（１つまたは複数の）変調器／（１つまたは複数の）復調器２５４ａ〜２５４ｒなどの１つまたは複数のプロセッサ（または処理システム）を含み得る。シグナリングするための手段、送信するための手段、および／または示すための手段は、図２に示されている基地局１１０の送信プロセッサ２２０、ＴＸ  ＭＩＭＯプロセッサ２３０、（１つまたは複数の）変調器２３２ａ〜２３２ｔ、および／または（１つまたは複数の）アンテナ２３４ａ〜２３４ｔ、ならびに／あるいは、図２に示されているユーザ機器１２０の送信プロセッサ２６４、ＴＸ  ＭＩＭＯプロセッサ２６６、（１つまたは複数の）変調器２５４ａ〜２５４ｒ、および／または（１つまたは複数の）アンテナ２５２ａ〜２５２ｒなどの送信機を含み得る。
【００９９】
[0109]情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの組合せによって表され得る。
【０１００】
[0110]さらに、本明細書の開示に関して説明された様々な例示的な論理ブロック、モジュール、回路、およびアルゴリズムステップは、ハードウェア、ソフトウェア、またはそれらの組合せとして実装され得ることを、当業者は諒解されよう。ハードウェアとソフトウェアのこの互換性を明確に示すために、様々な例示的な構成要素、ブロック、モジュール、回路、およびステップが、概してそれらの機能に関して上記で説明された。そのような機能がハードウェアとして実装されるか、ソフトウェアとして実装されるかは、特定の適用例および全体的なシステムに課される設計制約に依存する。当業者は、説明された機能を特定の適用例ごとに様々な方法で実装し得るが、そのような実装の決定は、本開示の範囲からの逸脱を生じるものと解釈されるべきではない。
【０１０１】
[0111]本明細書の開示に関して説明された様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明された機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【０１０２】
[0112]本明細書の開示に関して説明された方法またはアルゴリズムのステップは、直接ハードウェアで実施されるか、プロセッサによって実行されるソフトウェアモジュールで実施されるか、またはそれらの組合せで実施され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、相変化メモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサに一体化され得る。プロセッサおよび記憶媒体はＡＳＩＣ中に存在し得る。ＡＳＩＣはユーザ端末中に存在し得る。代替として、プロセッサおよび記憶媒体は、ユーザ端末中に個別構成要素として存在し得る。
【０１０３】
[0113]１つまたは複数の例示的な設計では、説明された機能は、ハードウェア、ソフトウェア、またはそれらの組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ／ＤＶＤまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれるべきである。
【０１０４】
[0114]本開示についての以上の説明は、いかなる当業者も本開示を作成または使用することができるように与えられたものである。本開示への様々な変更は当業者には容易に明らかになり、本明細書で定義された一般原理は、本開示の趣旨または範囲から逸脱することなく他の変形形態に適用され得る。したがって、本開示は、本明細書で説明された例および設計に限定されるものではなく、本明細書で開示された原理および新規の特徴に合致する最も広い範囲を与えられるべきである。
以下に本願の出願当初の特許請求の範囲に記載された発明を付記する。
[Ｃ１]  ユーザ機器（ＵＥ）によるワイヤレス通信のための方法であって、
前記ＵＥが基地局（ＢＳ）からページングメッセージを受信するためのページングオケージョンに対応するサブフレームのセットを決定することと、
サブフレームの前記セット内で、前記ページングメッセージを受信するための少なくとも１つの狭帯域領域を決定することと、
サブフレームの前記セット内の前記少なくとも１つの狭帯域領域中で前記ページングメッセージを監視することと
を備える、方法。
[Ｃ２]  前記ページングメッセージを前記監視することのためのバンドリングサイズを決定することをさらに備え、前記バンドリングサイズが前記ページングメッセージの受信のためのサブフレームの数に対応する、
Ｃ１に記載の方法。
[Ｃ３]  前記バンドリングサイズの前記決定が、前記ページングメッセージを受信するための前記決定された少なくとも１つの狭帯域領域に少なくとも部分的に基づく、Ｃ２に記載の方法。
[Ｃ４]  前記少なくとも１つの狭帯域領域の前記決定が、デフォルト狭帯域領域、前記ＵＥの識別情報（ＩＤ）、または前記ＢＳからのシグナリングのうちの少なくとも１つに少なくとも部分的に基づく、Ｃ１に記載の方法。
[Ｃ５]  前記少なくとも１つの狭帯域領域が複数の狭帯域領域を備え、
前記シグナリングが、前記複数の狭帯域領域のうちの少なくとも第１の狭帯域領域のインジケーションを備える、
Ｃ４に記載の方法。
[Ｃ６]  前記少なくとも１つの狭帯域領域が複数の狭帯域領域を備え、
サブフレームの前記セットと前記少なくとも１つの狭帯域領域とが一緒に決定される、Ｃ１に記載の方法。
[Ｃ７]  前記バンドリングサイズの前記決定が、前記ＢＳからのシグナリングに少なくとも部分的に基づく、Ｃ２に記載の方法。
[Ｃ８]  前記バンドリングサイズの前記決定が、前記ＢＳによって正常に復号された、バンドルランダムアクセスチャネル（ＲＡＣＨ）送信のバンドリングサイズに少なくとも部分的に基づく、Ｃ２に記載の方法。
[Ｃ９]  前記ＢＳからのバンドルブロードキャスト送信を復号することをさらに備え、ここにおいて、前記監視することのための前記バンドリングサイズが、前記ＢＳからの前記バンドルブロードキャスト送信を正常に復号するための試みの数に少なくとも部分的に基づいて決定される、
Ｃ２に記載の方法。
[Ｃ１０]  前記バンドリングサイズの前記決定が、前記ＵＥによって実行される測定に少なくとも部分的に基づく、Ｃ２に記載の方法。
[Ｃ１１]  １つまたは複数の測定報告を前記ＢＳに送信することをさらに備え、ここにおいて、前記バンドリングサイズが前記測定報告に基づいてさらに決定される、
Ｃ１０に記載の方法。
[Ｃ１２]  １つまたは複数のバンドルページングメッセージを復号することを試みることをさらに備え、各バンドルページングメッセージが、知られているバンドリングサイズにおいて前記ＢＳから送信され、ここにおいて、前記バンドリングサイズの前記決定が、前記バンドルページングメッセージのうちの１つまたは複数の成功した復号に少なくとも部分的に基づく、
Ｃ２に記載の方法。
[Ｃ１３]  前記バンドリングサイズの前記決定が、前記ＵＥによる無線リソース制御（ＲＲＣ）接続試みによってトリガされる、Ｃ２に記載の方法。
[Ｃ１４]  前記バンドリングサイズの前記決定が、前記ＵＥによる初期アタッチメントまたはトラッキングエリア更新によってトリガされる、Ｃ２に記載の方法。
[Ｃ１５]  前記バンドリングサイズの前記決定は、前記ＵＥが新しいセルを選択または再選択することによってトリガされる、Ｃ２に記載の方法。
[Ｃ１６]  前記バンドリングサイズの前記決定は、前記ＵＥがある時間期間にわたってページングメッセージを受信しなかったというインジケーションによってトリガされる、Ｃ２に記載の方法。
[Ｃ１７]  前記バンドリングサイズの前記決定は、前記ＵＥが、前に送信されたバンドルページングメッセージのために前記ＢＳによって使用されたバンドリングサイズよりも小さいバンドリングサイズを用いてページングメッセージを収集することが可能であるというインジケーションによってトリガされる、Ｃ２に記載の方法。
[Ｃ１８]  前記バンドリングサイズの前記決定が前記ＵＥによって周期的にトリガされる、Ｃ２に記載の方法。
[Ｃ１９]  前記ＵＥの接続モードを決定することをさらに備え、ここにおいて、前記バンドリングサイズの前記決定が前記接続モードに少なくとも部分的に基づく、
Ｃ２に記載の方法。
[Ｃ２０]  第１の接続モードは、前記ＵＥが非モビリティモードで展開されることを示し、第２の接続モードは、前記ＵＥがモビリティモードで展開されることを示す、Ｃ１９に記載の方法。
[Ｃ２１]  第１の接続モードは、前記ＵＥが通常電力選好モードで展開されることを示し、第２の接続モードは、前記ＵＥが低電力選好モードで展開されることを示す、Ｃ１９に記載の方法。
[Ｃ２２]  通信すべき第２のＢＳを選択することと、
前記ＵＥが第１の接続モードで展開される場合に、ランダムアクセスプロシージャを実行することと、前記ＵＥが第２の接続モードで展開される場合に、事前構成されたまたは選択された値に少なくとも部分的に基づいて前記バンドリングサイズを決定することとをさらに備える、Ｃ１９に記載の方法。
[Ｃ２３]  基地局（ＢＳ）によるワイヤレス通信のための方法であって、
ページングメッセージをユーザ機器（ＵＥ）に送信するためのページングオケージョンに対応するサブフレームのセットを決定することと、
サブフレームの前記セット内で、前記ページングメッセージを前記ＵＥに送信するための少なくとも１つの狭帯域領域を決定することと、
サブフレームの前記セットの前記少なくとも１つの狭帯域領域中で前記ページングメッセージを前記ＵＥに送信することと
を備える、方法。
[Ｃ２４]  前記ページングメッセージのためのバンドリングサイズを決定することをさらに備え、前記バンドリングサイズが前記ページングメッセージの送信のためのサブフレームの数に対応する、
Ｃ２３に記載の方法。
[Ｃ２５]  前記バンドリングサイズの前記決定が、前記ページングメッセージを送信するための前記決定された少なくとも１つの狭帯域領域に少なくとも部分的に基づく、Ｃ２４に記載の方法。
[Ｃ２６]  前記少なくとも１つの狭帯域領域の前記決定が、デフォルト狭帯域領域または前記ＵＥの識別情報（ＩＤ）のうちの少なくとも１つに少なくとも部分的に基づく、Ｃ２３に記載の方法。
[Ｃ２７]  前記少なくとも１つの狭帯域領域のインジケーションを前記ＵＥにシグナリングすることをさらに備える、Ｃ２３に記載の方法。
[Ｃ２８]  前記少なくとも１つの狭帯域領域が複数の狭帯域領域を備え、
前記シグナリングが、前記複数の狭帯域領域のうちの第１の狭帯域領域のインジケーションを備える、
Ｃ２７に記載の方法。
[Ｃ２９]  前記少なくとも１つの狭帯域領域が複数の狭帯域領域を備え、
サブフレームの前記セットと前記複数の狭帯域領域とが一緒に決定される、
Ｃ２３に記載の方法。
[Ｃ３０]  前記バンドリングサイズの前記決定が、前記ＢＳによって正常に復号された、前記ＵＥからのバンドルランダムアクセスチャネル（ＲＡＣＨ）送信のバンドリングサイズに少なくとも部分的に基づく、Ｃ２４に記載の方法。
[Ｃ３１]  バンドルブロードキャスト送信を前記ＵＥに送信することと、
前記ＵＥから、前記バンドルブロードキャスト送信を正常に復号するための、前記ＵＥによる試みの数のインジケーションを受信することと、試みの前記示された数に少なくとも部分的に基づいて前記ページングメッセージのための前記バンドリングサイズを決定することと
をさらに備える、Ｃ２４に記載の方法。
[Ｃ３２]  前記ＵＥから１つまたは複数の測定報告を受信することと、前記１つまたは複数の測定報告に少なくとも部分的に基づいてバンドリングサイズを決定することと
をさらに備える、Ｃ２４に記載の方法。
[Ｃ３３]  １つまたは複数のバンドルページングメッセージを送信することと、各バンドルページングメッセージが、知られているバンドリングサイズにおいて送信され、前記ＵＥによる前記１つまたは複数のバンドルページングメッセージのうちの１つまたは複数の成功した復号に少なくとも部分的に基づいて前記バンドリングサイズを決定することと
をさらに備える、Ｃ２４に記載の方法。
[Ｃ３４]  前記バンドリングサイズの前記決定が、前記ＵＥによる無線リソース制御（ＲＲＣ）接続試みによってトリガされる、Ｃ２４に記載の方法。
[Ｃ３５]  前記バンドリングサイズの前記決定が、前記ＵＥによる初期アタッチまたはトラッキングエリア更新によってトリガされる、Ｃ２４に記載の方法。
[Ｃ３６]  前記バンドリングサイズの前記決定は、前記ＵＥが新しいセルを選択または再選択することによってトリガされる、Ｃ２４に記載の方法。
[Ｃ３７]  前記バンドリングサイズの前記決定は、前記ＵＥがある時間期間にわたってページングメッセージを受信しなかったというインジケーションによってトリガされる、Ｃ２４に記載の方法。
[Ｃ３８]  前記バンドリングサイズの前記決定は、前記ＵＥが、前に送信されたバンドルページングメッセージのために前記ＢＳによって使用されたバンドリングサイズよりも小さいバンドリングサイズを用いてページングメッセージを収集することが可能であるというインジケーションによってトリガされる、Ｃ２４に記載の方法。
[Ｃ３９]  前記バンドリングサイズの前記決定が前記ＵＥによって周期的にトリガされる、Ｃ２４に記載の方法。
[Ｃ４０]  前記バンドリングサイズの前記決定は、前記ＵＥからの応答が検出されるまで、または、インジケーションがネットワークから受信されるまで、バンドルページングメッセージを前記ＵＥに送信することに基づく、Ｃ２４に記載の方法。
[Ｃ４１]  各連続バンドルページングメッセージのためのバンドリングサイズを増加させることをさらに備える、Ｃ４０に記載の方法。
[Ｃ４２]  ワイヤレス通信のための装置であって、
ユーザ機器（ＵＥ）が基地局（ＢＳ）からページングメッセージを受信するためのページングオケージョンに対応するサブフレームのセットを決定するための手段と、
サブフレームの前記セット内で、前記ページングメッセージを受信するための少なくとも１つの狭帯域領域を決定するための手段と、
サブフレームの前記セット内の前記少なくとも１つの狭帯域領域中で前記ページングメッセージを監視するための手段と
を備える、装置。
[Ｃ４３]  前記ページングメッセージを前記監視することのためのバンドリングサイズを決定するための手段をさらに備え、前記バンドリングサイズが前記ページングメッセージの受信のためのサブフレームの数に対応する、
Ｃ４２に記載の装置。
[Ｃ４４]  前記バンドリングサイズの前記決定が、前記ページングメッセージを受信するための前記決定された少なくとも１つの狭帯域領域に少なくとも部分的に基づく、Ｃ４３に記載の装置。
[Ｃ４５]  前記少なくとも１つの狭帯域領域の前記決定が、デフォルト狭帯域領域、前記ＵＥの識別情報（ＩＤ）、または前記ＢＳからのシグナリングのうちの少なくとも１つに少なくとも部分的に基づく、Ｃ４２に記載の装置。
[Ｃ４６]  前記少なくとも１つの狭帯域領域が複数の狭帯域領域を備え、
前記シグナリングが、前記複数の狭帯域領域のうちの少なくとも第１の狭帯域領域のインジケーションを備える、
Ｃ４５に記載の装置。
[Ｃ４７]  前記少なくとも１つの狭帯域領域が複数の狭帯域領域を備え、
サブフレームの前記セットと前記少なくとも１つの狭帯域領域とが一緒に決定される、Ｃ４２に記載の装置。
[Ｃ４８]  前記バンドリングサイズの前記決定が、前記ＢＳからのシグナリングに少なくとも部分的に基づく、Ｃ４３に記載の装置。
[Ｃ４９]  前記ＢＳによって正常に復号された、バンドルランダムアクセスチャネル（ＲＡＣＨ）送信のバンドリングサイズに少なくとも部分的に基づく前記バンドリングサイズの前記決定、Ｃ４３に記載の装置。
[Ｃ５０]  前記ＢＳからのバンドルブロードキャスト送信を復号するための手段をさらに備え、ここにおいて、前記監視することのための前記バンドリングサイズが、前記ＢＳからの前記バンドルブロードキャスト送信を正常に復号するための試みの数に少なくとも部分的に基づいて決定される、
Ｃ４３に記載の装置。
[Ｃ５１]  前記バンドリングサイズの前記決定が、前記ＵＥによって実行される測定に少なくとも部分的に基づく、Ｃ４３に記載の装置。
[Ｃ５２]  １つまたは複数の測定報告を前記ＢＳに送信するための手段をさらに備え、ここにおいて、前記バンドリングサイズが前記測定報告に基づいてさらに決定される、
Ｃ５１に記載の装置。
[Ｃ５３]  １つまたは複数のバンドルページングメッセージを復号することを試みるための手段をさらに備え、各バンドルページングメッセージが、知られているバンドリングサイズにおいて前記ＢＳから送信され、ここにおいて、前記バンドリングサイズの前記決定が、前記バンドルページングメッセージのうちの１つまたは複数の成功した復号に基づく、
Ｃ４３に記載の装置。
[Ｃ５４]  前記バンドリングサイズの前記決定が、前記ＵＥによる無線リソース制御（ＲＲＣ）接続試みによってトリガされる、Ｃ４３に記載の装置。
[Ｃ５５]  前記バンドリングサイズの前記決定が、前記ＵＥによる初期アタッチメントまたはトラッキングエリア更新によってトリガされる、Ｃ４３に記載の装置。
[Ｃ５６]  前記バンドリングサイズの前記決定は、前記ＵＥが新しいセルを選択または再選択することによってトリガされる、Ｃ４３に記載の装置。
[Ｃ５７]  前記バンドリングサイズの前記決定は、前記ＵＥがある時間期間にわたってページングメッセージを受信しなかったというインジケーションによってトリガされる、Ｃ４３に記載の装置。
[Ｃ５８]  前記バンドリングサイズの前記決定は、前記ＵＥが、前に送信されたバンドルページングメッセージのために前記ＢＳによって使用されたバンドリングサイズよりも小さいバンドリングサイズを用いてページングメッセージを収集することが可能であるというインジケーションによってトリガされる、Ｃ４３に記載の装置。
[Ｃ５９]  前記バンドリングサイズの前記決定が前記ＵＥによって周期的にトリガされる、Ｃ４３に記載の装置。
[Ｃ６０]  前記ＵＥの接続モードを決定するための手段をさらに備え、ここにおいて、前記バンドリングサイズの前記決定が前記接続モードに少なくとも部分的に基づく、
Ｃ４３に記載の装置。
[Ｃ６１]  第１の接続モードは、前記ＵＥが非モビリティモードで展開されることを示し、第２の接続モードは、前記ＵＥがモビリティモードで展開されることを示す、Ｃ６０に記載の装置。
[Ｃ６２]  第１の接続モードは、前記ＵＥが通常電力選好モードで展開されることを示し、第２の接続モードは、前記ＵＥが低電力選好モードで展開されることを示す、Ｃ６０に記載の装置。
[Ｃ６３]  通信すべき第２のＢＳを選択するための手段と、
前記ＵＥが第１の接続モードで展開される場合に、ランダムアクセスプロシージャを実行するための手段と、
前記ＵＥが第２の接続モードで展開される場合に、事前構成されたまたは選択された値に少なくとも部分的に基づいて前記バンドリングサイズを決定するための手段と
をさらに備える、Ｃ６０に記載の装置。
[Ｃ６４]  ワイヤレス通信のための装置であって、
ページングメッセージをユーザ機器（ＵＥ）に送信するためのページングオケージョンに対応するサブフレームのセットを決定するための手段と、
サブフレームの前記セット内で、前記ページングメッセージを前記ＵＥに送信するための少なくとも１つの狭帯域領域を決定するための手段と、
サブフレームの前記セットの前記少なくとも１つの狭帯域領域中で前記ページングメッセージを前記ＵＥに送信するための手段と
を備える、装置。
[Ｃ６５]  前記ページングメッセージのためのバンドリングサイズを決定するための手段をさらに備え、前記バンドリングサイズが前記ページングメッセージの送信のためのサブフレームの数に対応する、
Ｃ６４に記載の装置。
[Ｃ６６]  前記バンドリングサイズの前記決定が、前記ページングメッセージを送信するための前記決定された少なくとも１つの狭帯域領域に少なくとも部分的に基づく、Ｃ６５に記載の装置。
[Ｃ６７]  前記狭帯域領域の前記決定が、デフォルト狭帯域領域または前記ＵＥの識別情報（ＩＤ）のうちの少なくとも１つに少なくとも部分的に基づく、Ｃ６４に記載の装置。
[Ｃ６８]  前記少なくとも１つの狭帯域領域のインジケーションを前記ＵＥにシグナリングするための手段をさらに備える、Ｃ６４に記載の装置。
[Ｃ６９]  前記少なくとも１つの狭帯域領域が複数の狭帯域領域を備え、
前記シグナリングが、前記複数の狭帯域領域のうちの第１の狭帯域領域のインジケーションを備える、
Ｃ２７に記載の装置。
[Ｃ７０]  前記少なくとも１つの狭帯域領域が複数の狭帯域領域を備え、
サブフレームの前記セットと前記少なくとも１つの狭帯域領域とが一緒に決定される、Ｃ６４に記載の装置。
[Ｃ７１]  前記バンドリングサイズの前記決定が、前記ＢＳによって正常に復号された、前記ＵＥからのバンドルランダムアクセスチャネル（ＲＡＣＨ）送信のバンドリングサイズに少なくとも部分的に基づく、Ｃ６５に記載の装置。
[Ｃ７２]  バンドルブロードキャスト送信を前記ＵＥに送信するための手段と、
前記ＵＥから、前記バンドルブロードキャスト送信を正常に復号するための、前記ＵＥによる試みの数のインジケーションを受信するための手段と、
試みの前記示された数に少なくとも部分的に基づいて前記ページングメッセージのための前記バンドリングサイズを決定するための手段と
をさらに備える、Ｃ６５に記載の装置。
[Ｃ７３]  前記ＵＥから１つまたは複数の測定報告を受信するための手段と、
前記１つまたは複数の測定報告に少なくとも部分的に基づいて前記バンドリングサイズを決定するための手段と
をさらに備える、Ｃ６５に記載の装置。
[Ｃ７４]  １つまたは複数のバンドルページングメッセージを送信するための手段と、各バンドルページングメッセージが、知られているバンドリングサイズにおいて送信され、
前記ＵＥによる前記バンドルページングメッセージのうちの１つまたは複数の成功した復号に少なくとも部分的に基づいて前記バンドリングサイズを決定するための手段と
をさらに備える、Ｃ６５に記載の装置。
[Ｃ７５]  前記バンドリングサイズの前記決定が、前記ＵＥによる無線リソース制御（ＲＲＣ）接続試みによってトリガされる、Ｃ６５に記載の装置。
[Ｃ７６]  前記バンドリングサイズの前記決定が、前記ＵＥによる初期アタッチまたはトラッキングエリア更新によってトリガされる、Ｃ６５に記載の装置。
[Ｃ７７]  前記バンドリングサイズの前記決定は、前記ＵＥが新しいセルを選択または再選択することによってトリガされる、Ｃ６５に記載の装置。
[Ｃ７８]  前記バンドリングサイズの前記決定は、前記ＵＥがある時間期間にわたってページングメッセージを受信しなかったというインジケーションによってトリガされる、Ｃ６５に記載の装置。
[Ｃ７９]  前記バンドリングサイズの前記決定は、前記ＵＥが、前に送信されたバンドルページングメッセージのために前記ＢＳによって使用されたバンドリングサイズよりも小さいバンドリングサイズを用いてページングメッセージを収集することが可能であるというインジケーションによってトリガされる、Ｃ６５に記載の装置。
[Ｃ８０]  前記バンドリングサイズの前記決定が前記ＵＥによって周期的にトリガされるＣ６５に記載の装置。
[Ｃ８１]  前記バンドリングサイズの前記決定は、前記ＵＥからの応答が検出されるまで、または、インジケーションがネットワークから受信されるまで、バンドルページングメッセージを前記ＵＥに送信することに基づく、Ｃ６５に記載の装置。
[Ｃ８２]  各連続バンドルページングメッセージのためのバンドリングサイズを増加させるための手段をさらに備える、Ｃ４０に記載の装置。
[Ｃ８３]  ワイヤレス通信のための装置であって、
ユーザ機器（ＵＥ）が基地局（ＢＳ）からページングメッセージを受信するためのページングオケージョンに対応するサブフレームのセットを決定することと、
サブフレームの前記セット内で、前記ページングメッセージを受信するための少なくとも１つの狭帯域領域を決定することと、
サブフレームの前記セット内の前記少なくとも１つの狭帯域領域中で前記ページングメッセージを監視することと
を行うように構成された少なくとも１つのプロセッサと、
前記少なくとも１つのプロセッサと結合されたメモリと
を備える、装置。
[Ｃ８４]  ワイヤレス通信のための装置であって、
ページングメッセージをユーザ機器（ＵＥ）に送信するためのページングオケージョンに対応するサブフレームのセットを決定することと、
サブフレームの前記セット内で、前記ページングメッセージを前記ＵＥに送信するための少なくとも１つの狭帯域領域を決定することと、
サブフレームの前記セットの前記少なくとも１つの狭帯域領域中で前記ページングメッセージを前記ＵＥに送信することと
を行うように構成された少なくとも１つのプロセッサと、
前記少なくとも１つのプロセッサと結合されたメモリと
を備える、装置。
[Ｃ８５]  ユーザ機器（ＵＥ）が基地局（ＢＳ）からページングメッセージを受信するためのページングオケージョンに対応するサブフレームのセットを決定するためのコードと、
サブフレームの前記セット内で、前記ページングメッセージを受信するための少なくとも１つの狭帯域領域を決定するためのコードと、
サブフレームの前記セット内の前記少なくとも１つの狭帯域領域中で前記ページングメッセージを監視するためのコードと
を備える、コンピュータ実行可能コードを記憶したコンピュータ可読媒体。
[Ｃ８６]  ページングメッセージをユーザ機器（ＵＥ）に送信するためのページングオケージョンに対応するサブフレームのセットを決定するためのコードと、
サブフレームの前記セット内で、前記ページングメッセージを前記ＵＥに送信するための少なくとも１つの狭帯域領域を決定するためのコードと、
サブフレームの前記セットの前記少なくとも１つの狭帯域領域中で前記ページングメッセージを前記ＵＥに送信するためのコードと
を備える、コンピュータ実行可能コードを記憶したコンピュータ可読媒体。
【図１】
0006772154.tif 000002
【図２】
0006772154.tif 000003
【図３】
0006772154.tif 000004
【図４】
0006772154.tif 000005
【図５】
0006772154.tif 000006
【図５Ａ】
0006772154.tif 000007
【図６】
0006772154.tif 000008
【図６Ａ】
0006772154.tif 000009
【図７】
0006772154.tif 000010
【図７Ａ】
0006772154.tif 000011
【図８】
0006772154.tif 000012
【図９】
0006772154.tif 000013
【図１０】
0006772154.tif 000014